(57)【特許請求の範囲】
【請求項１】
開口絞りを境に物体側には、物体側より像側へ順に、フォーカスに際して不動の正の屈折力の第１レンズ群とフォーカスに際して移動する第２レンズ群が配置され、前記開口絞りの像側にはフォーカスの際に不動の第３レンズ群が配置されている撮影光学系であって、
前記第１レンズ群は、物体側から像側へ順に、正レンズ、物体側の面が凸でメニスカス形状の正レンズ、接合レンズを有し、瞳近軸光線が光軸と交わる位置よりも物体側に少なくとも１つの回折光学素子と固体材料からなるＮＬＦ光学素子を有し、
全系の焦点距離をf、前記第１レンズ群の焦点距離をf1、無限遠物体にフォーカスしたときの全系のＦナンバーをFno、前記第１レンズ群の最も物体側のレンズ面頂点から、前記第１レンズ群の最も像側のレンズ面頂点までの距離をd1a、前記回折光学素子の回折成分のみによる焦点距離をfDOE、前記ＮＬＦ光学素子の焦点距離をfNLF、前記ＮＬＦ光学素子の材料の部分分散比差をΔθgFＮＬＦとするとき、
4.0＜f2/(f1×Fno×d1a)＜10.0
20 ＜ fDOE×fNLF/f2＜1000
0.0272 ＜ ΔθgFＮＬＦ ＜0.3000
なる条件を満足することを特徴とする撮影光学系。
【請求項２】
開口絞りを境に物体側にはフォーカスに際して不動の正の屈折力の第１レンズ群が配置され、前記開口絞りの像側には、物体側から像側へ順に、フォーカスに際して不動の正の屈折力の第２レンズ群とフォーカスに際して移動する第３レンズ群が配置されている撮影光学系であって、
前記第１レンズ群は、物体側から像側へ順に、正レンズ、物体側の面が凸でメニスカス形状の正レンズ、接合レンズを有し、瞳近軸光線が光軸と交わる位置よりも物体側に少なくとも１つの回折光学素子と固体材料からなるＮＬＦ光学素子を有し、
全系の焦点距離をf、前記第１レンズ群の焦点距離をf1、無限遠物体にフォーカスしたときの全系のＦナンバーをFno、前記第１レンズ群の最も物体側のレンズ面頂点から、前記第１レンズ群の最も像側のレンズ面頂点までの距離をd1a、前記回折光学素子の回折成分のみによる焦点距離をfDOE、前記ＮＬＦ光学素子の焦点距離をfNLF、前記ＮＬＦ光学素子の材料の部分分散比差をΔθgFＮＬＦとするとき、
4.0＜f2/(f1×Fno×d1a)＜10.0
20 ＜ fDOE×fNLF/f2＜1000
0.0272 ＜ ΔθgFＮＬＦ＜ 0.3000
なる条件を満足することを特徴とする撮影光学系。
【請求項３】
前記第１レンズ群を構成する物体側の面が凸でメニスカス形状の正レンズについて、最も物体側の空気と接するレンズ面の曲率半径をＲＭ１、最も像側の空気と接するレンズ面の曲率半径をＲＭ２とするとき（ただし、接合レンズにより前記物体側の面が凸でメニスカス形状の正レンズを構成する場合は、前記接合レンズ全体で最も物体側の空気と接するレンズ面の曲率半径をＲＭ１、前記接合レンズ全体で最も像側の空気と接するレンズ面の曲率半径をＲＭ２とする）、
0.01＜(ＲＭ２−ＲＭ１)/(ＲＭ１＋ＲＭ２)＜0.70
なる条件を満足することを特徴とする請求項１または２の撮影光学系。
【請求項４】
無限遠物体にフォーカスしているときの前記第１レンズ群と前記第２レンズ群の合成焦点距離をf12、全系の最も物体側のレンズ面頂点から像面までの光軸上の長さをLとするとき、
2.0＜f2/(f12×L)＜10.0
なる条件を満足することを特徴とする請求項１乃至３のいずれか１項の撮影光学系。
【請求項５】
前記第１レンズ群に含まれる正レンズのパワーの総和をφPSUM、前記第１レンズ群に含まれる負レンズのパワーの総和をφNSUMとするとき、
1.4＜｜φPSUM/φNSUM｜＜3.0
なる条件を満足することを特徴とする請求項１乃至４のいずれか１項の撮影光学系。
【請求項６】
最も物体側のレンズ面頂点から前記開口絞りまでの光軸上の長さをd-sp、全系の最も物体側のレンズ面頂点から像面までの光軸上の長さをLとするとき、
4.0＜f2/(d-sp×L)＜15.0
なる条件を満足することを特徴とする請求項１乃至５のいずれか１項の撮影光学系。
【請求項７】
瞳近軸光線が光軸と交わる位置よりも像側に少なくとも１つの固体材料からなるＮＬＲ光学素子を有し、
前記ＮＬＲ光学素子の焦点距離をfNLR、
前記ＮＬＲ光学素子を構成する材料の部分分散比差をΔθgFＮＬＲとするとき、
-50.0 ＜ fDOE×fNLR/f2＜-2.0
0.0272 ＜ ΔθgFＮＬＲ ＜0.3000
なる条件を満足することを特徴とする請求項１乃至６のいずれか１項の撮影光学系。
【請求項８】
瞳近軸光線が光軸と交わる位置よりも像側に少なくとも１つの固体材料からなるＮＬＲ光学素子を有し、
前記第３レンズ群は、物体側から像側へ順に配置された、第３１レンズ群、防振機能を有する第３２レンズ群、第３３レンズ群より構成されており、前記第１レンズ群に含まれる各レンズと前記ＮＬＦ光学素子をそれぞれ光学要素とし、物体側から像側へ順に数えたとき、第ｉ番目（ｉ＝１，２…）の光学要素のパワーをφL1i、材料の部分分散比差をΔθgFL1i、材料のアッベ数をνL1iとし、前記第３３レンズ群に含まれるレンズと前記ＮＬＲ光学素子をそれぞれ光学要素とし、物体側から順に数えたとき第ｊ番目（ｊ＝１，２…）の光学要素のパワーをφL33j、材料の部分分散比差をΔθgFL33j、材料のアッベ数をνL33jとし、全系のパワーをφとし、Σは総和を表し、ｎを前記第１レンズ群に含まれるレンズ枚数、ｍを前記第３３レンズ群に含まれるレンズ枚数とするとき、
【数１】
0005885518.tif 000011
なる条件を満足することを特徴とする請求項１乃至７のいずれか１項の撮影光学系。
【請求項９】
請求項１乃至８のいずれか１項の撮影光学系と該撮影光学系によって形成された像を受光する撮像部とを有することを特徴とする撮像装置。
【発明の詳細な説明】
【技術分野】
【０００１】
本発明は撮影光学系及びそれを有する撮像装置に関し、例えば固体撮像素子を用いたビデオカメラ、デジタルスチルカメラ、ＴＶカメラ、監視用カメラや銀塩フィルムを用いたフィルム用カメラ等に好適なものである。
【背景技術】
【０００２】
長焦点距離の撮影光学系として、物体側から像側へ順に、正の屈折力を有する前方レンズ群と、負の屈折力を有する後方レンズ群より成る、所謂望遠タイプの撮影光学系（望遠レンズ）が知られている。ここで長焦点距離とは例えば有効撮像範囲の寸法に比べて長い焦点距離のことをいう。一般的に焦点距離の長い望遠レンズでは、焦点距離が延びるにしたがって、諸収差のうち、特に軸上色収差及び倍率色収差等の色収差が多く発生してくる。
【０００３】
これらの色収差を、蛍石や商品名S-FPL51（オハラ社製）等の異常部分分散性を持った低分散材料を用いた正レンズと、高分散材料を用いた負レンズとを組み合わせて補正した（色消しを行った）望遠レンズが種々提案されている（特許文献１）。特許文献１では焦点距離２９４ｍｍ〜３９２ｍｍでＦナンバー４．０８〜５．６程度の望遠レンズを開示している。またＦナンバーの小さい望遠レンズでは、Ｆナンバーが小さくなるにしたがって、諸収差のうち、特に球面収差及びコマ収差が多く発生してくる。
【０００４】
Ｆナンバーが小さい望遠レンズにおいて球面収差やコマ収差を補正するために、レンズ枚数を増やして収差補正に対する自由度を増やすようにした望遠レンズが知られている（特許文献２）。特許文献２ではレンズ枚数を増やして収差補正を行った焦点距離２９４ｍｍ〜５８８ｍｍでＦナンバー２．８８〜４．０８程度の大口径比の望遠レンズを開示している。
【０００５】
一方、光学系の色収差を含めた諸収差を補正しつつ、レンズ重量を軽量化する方法として、レンズ面やあるいは光学系の一部に、回折作用を有する回折光学部を基板上に設けた回折光学素子を用いる方法が知られている。この方法によって、色収差を補正しつつレンズ全長（第１レンズ面から像面までの距離）を短縮したり、ガラス材料の比重を比較的軽い材料でレンズを構成することで総合的なレンズ重量を軽量化した光学系が知られている（特許文献３）。
【０００６】
特許文献３では回折光学素子を用いて色収差を良好に補正した焦点距離２９３ｍｍ〜３９１ｍｍでＦナンバー２．９〜４．１程度の大口径比の望遠レンズを開示している。この特許文献３では、レンズ全長を短縮させて第１レンズ群のパワーが増大した分を、非球面で単色の収差補正を行い、色収差を回折光学素子で補正している。これにより諸収差の補正と全体の小型・軽量化を図っている。
【０００７】
また多くの撮影レンズ（光学系）において無限遠物体から近距離物体へのフォーカシングは、撮影レンズ全体を移動させたり、若しくは撮影レンズの一部のレンズ群を移動させたりして行っている。このうち焦点距離の長い望遠レンズの場合は、レンズ全体が大型となり、又、重くなるため、望遠レンズ全体を移動させてフォーカスを行うのが機構的に困難である。
【０００８】
このため、従来より、望遠レンズでは一部のレンズ群を移動させてフォーカスを行っているものが多い。このうち前方レンズ群以外の比較的小型でしかも軽量の光学系の中央部分の一部のレンズ群を移動させてフォーカスを行ったインナーフォーカス式を用いている。特許文献１乃至３の望遠レンズでは何れも物体側より順に、正の屈折力の第１レンズ群、負の屈折力の第２レンズ群を有し、第２レンズ群を光軸上を像面側へ移動させてフォーカスを行っている。
【先行技術文献】
【特許文献】
【０００９】
【特許文献１】特開平９−１４５９９６号公報
【特許文献２】特開平８−３２７８９７号公報
【特許文献３】特開２００９−２７１３５４号公報
【発明の概要】
【発明が解決しようとする課題】
【００１０】
望遠レンズは一般に、焦点距離を長くするにつれてレンズ系全体が大型化してくる。このため望遠レンズにおいてはレンズ系全体の小型化を図ること、そして焦点距離を長くすることによって発生する諸収差のうち、特に色収差を良好に補正することが重要になってくる。更にフォーカシングを前方レンズ群以外の小型軽量のレンズ群で迅速に、しかも駆動装置の負担を少なくして行うことが重要になってくる。
【００１１】
一般に望遠レンズにおいて焦点距離が長くなるにつれて、特に正の屈折力の前方レンズ群が大型化及び高重量化してくる。このため望遠レンズにおいては正の屈折力の前方レンズ群のレンズ構成を適切に設定することが全系の小型化及び軽量化を図りつつ、かつ色収差を良好に補正し、高い光学性能を得るのに重要になってくる。前方レンズ群のレンズ構成が不適切であると全系が大型化し、諸収差が増大し高い光学性能を得るのが大変困難になる。
【００１２】
本発明は、色収差を含めた諸収差の補正が容易で、しかも全系の小型化及びレンズ重量の軽量化を図ることができる撮影光学系及びそれを有する撮像装置の提供を目的とする。
【課題を解決するための手段】
【００１３】
本発明の撮影光学系は、開口絞りを境に物体側には、物体側より像側へ順に、フォーカスに際して不動の正の屈折力の第１レンズ群とフォーカスに際して移動する第２レンズ群が配置され、前記開口絞りの像側にはフォーカスの際に不動の第３レンズ群が配置されている撮影光学系であって、
前記第１レンズ群は、物体側から像側へ順に、正レンズ、物体側の面が凸でメニスカス形状の正レンズ、接合レンズを有し、瞳近軸光線が光軸と交わる位置よりも物体側に少なくとも１つの回折光学素子と固体材料からなるＮＬＦ光学素子を有し、
全系の焦点距離をf、前記第１レンズ群の焦点距離をf1、無限遠物体にフォーカスしたときの全系のＦナンバーをFno、前記第１レンズ群の最も物体側のレンズ面頂点から、前記第１レンズ群の最も像側のレンズ面頂点までの距離をd1a、前記回折光学素子の回折成分のみによる焦点距離をfDOE、前記ＮＬＦ光学素子の焦点距離をfNLF、前記ＮＬＦ光学素子の材料の部分分散比差をΔθgFＮＬＦとするとき、
4.0＜f2/(f1×Fno×d1a)＜10.0
20 ＜ fDOE×fNLF/f2＜1000
0.0272 ＜ ΔθgFＮＬＦ ＜0.3000
なる条件を満足することを特徴としている。
この他、本発明の撮影光学系は、開口絞りを境に物体側にはフォーカスに際して不動の正の屈折力の第１レンズ群が配置され、前記開口絞りの像側には、物体側から像側へ順に、フォーカスに際して不動の正の屈折力の第２レンズ群とフォーカスに際して移動する第３レンズ群が配置されている撮影光学系であって、
前記第１レンズ群は、物体側から像側へ順に、正レンズ、物体側の面が凸でメニスカス形状の正レンズ、接合レンズを有し、瞳近軸光線が光軸と交わる位置よりも物体側に少なくとも１つの回折光学素子と固体材料からなるＮＬＦ光学素子を有し、
全系の焦点距離をf、前記第１レンズ群の焦点距離をf1、無限遠物体にフォーカスしたときの全系のＦナンバーをFno、前記第１レンズ群の最も物体側のレンズ面頂点から、前記第１レンズ群の最も像側のレンズ面頂点までの距離をd1a、前記回折光学素子の回折成分のみによる焦点距離をfDOE、前記ＮＬＦ光学素子の焦点距離をfNLF、前記ＮＬＦ光学素子の材料の部分分散比差をΔθgFＮＬＦとするとき、
4.0＜f2/(f1×Fno×d1a)＜10.0
20 ＜ fDOE×fNLF/f2＜1000
0.0272 ＜ ΔθgFＮＬＦ＜ 0.3000
なる条件を満足することを特徴としている。
【発明の効果】
【００１４】
本発明によれば、色収差を含めた諸収差の補正が容易で、しかも全系の小型化及びレンズ重量の軽量化を図った撮影光学系が得られる。
【図面の簡単な説明】
【００１５】
【図１】実施例１の撮影光学系の物体距離無限遠時におけるレンズ断面図と収差図
【図２】実施例２の撮影光学系の物体距離無限遠時におけるレンズ断面図と収差図
【図３】実施例３の撮影光学系の物体距離無限遠時におけるレンズ断面図と収差図
【図４】実施例４の撮影光学系の物体距離無限遠時におけるレンズ断面図と収差図
【図５】実施例５の撮影光学系の物体距離無限遠時におけるレンズ断面図と収差図
【図６】実施例６の撮影光学系の物体距離無限遠時におけるレンズ断面図と収差図
【図７】実施例７の撮影光学系の物体距離無限遠時におけるレンズ断面図と収差図
【図８】実施例８の撮影光学系の物体距離無限遠時におけるレンズ断面図と収差図
【図９】本発明の撮像装置の説明図
【図１０】本発明に係る条件式（３），（９）の範囲を説明する図
【発明を実施するための形態】
【００１６】
以下に本発明の好ましい実施の形態を、添付の図面に基づいて詳細に説明する。本発明の撮影光学系は、開口絞りを境に物体側には、物体側より像側へ順に、フォーカスに際して不動の正の屈折力の第１レンズ群とフォーカスに際して移動する第２レンズ群が配置され、像側にはフォーカスの際に不動の第３レンズ群が配置されている。この他、本発明の撮影光学系は開口絞りを境に物体側にはフォーカスに際して不動の正の屈折力の第１レンズ群が配置され、像側には物体側から像側へ順に、フォーカスに際して不動の正の第２レンズ群とフォーカスに際して移動する第３レンズ群が配置されている。
【００１７】
図１（Ａ）乃至図８（Ａ）は、本発明の撮影光学系の実施例１乃至実施例８のレンズ断面図である。また図１（Ｂ）乃至図８（Ｂ）は本発明の撮影光学系の実施例１乃至実施例８の縦収差図である。また図９は本発明の撮影光学系をカメラ本体に装着した一眼レフカメラシステム（撮像装置）の要部概略図である。
【００１８】
各レンズ断面図において、Ｌ０は撮影光学系である。ＳＰは開口絞りである。撮影光学系Ｌ０は正の屈折力の第１レンズ群Ｌ１、第２レンズ群Ｌ２、第３レンズ群Ｌ３より構成されている。第１レンズ群Ｌ１は物体側より順に正レンズ、物体側の面が凸でメニスカス形状の正レンズ、そして接合レンズを有している。
【００１９】
ＮＬＦは固体材料よりなるＮＬＦ光学素子である。第２レンズ群Ｌ２は正レンズと負レンズを接合した接合レンズを有している。又は第２レンズ群Ｌ２は正レンズと負レンズを接合した接合レンズと負レンズと正レンズとを接合した接合レンズを有している。第３レンズ群Ｌ３は正又は負の屈折力の第３１レンズ群Ｌ３１、光軸と直交する方向の成分を持つように移動して撮影画像の結像位置を光軸に対し垂直方向に移動させる負の屈折力の第３２レンズ群Ｌ３２、正の屈折力の第３３レンズ群Ｌ３３より構成されている。
【００２０】
ＮＬＲは固体材料よりなるＮＬＲ光学素子である。ＩＰは像面であり、ビデオカメラやデジタルカメラの撮影光学系として使用する際には像を受光するＣＣＤセンサやＣＭＯＳセンサ等の固体撮像素子（光電変換素子）の撮像面が、銀塩フィルム用カメラの撮像光学系とし使用する際にはフィルム面に相当する。ＤＯＥは回折光学素子である。Ｄは回折光学素子ＤＯＥの一部を構成する回折光学部（回折光学面）である。回折光学部Ｄより生ずる回折光のうち、本実施例で用いる回折光の回折次数ｍは１であり、設計波長λ0はｄ
線の波長（５８７．５６ｎｍ）である。
【００２１】
なお撮影光学系Ｌ０に設ける回折光学面Ｄは１つに限らず更に追加しても良く、これによれば更に良好な光学性能が得られる。また回折光学面Ｄは非球面をベースとしても良く、ベースの材質は光を透過するものであればガラスでなくともプラスチックでも良い。
【００２２】
各収差図において、ｄ、ｇは順に、ｄ線、ｇ線である。Ｍ、Ｓはメリディオナル像面、サジタル像面である。倍率色収差はｇ線によって表している。ＦｎｏはＦナンバー、ωは半画角である。すべての収差図において、球面収差は０．２ｍｍ、非点収差は０．２ｍｍ、歪曲は２％、倍率色収差は０．０２ｍｍのスケールで描かれている。
【００２３】
本発明の撮影光学系は望遠レンズより成り、その特徴とするレンズ構成は次のとおりである。大口径比の望遠レンズにおける課題の１つに全系を軽量化することがある。一般的に望遠レンズにおいては、光軸と瞳近軸光線の交わる点より物体側で、近軸軸上光線がレンズ面を通過する光軸からの高さの最大値が、光軸と瞳近軸光線の交わる点より像側での近軸軸上光線がレンズ面を通過する光軸からの高さの最大値よりも大きい。望遠レンズはこのようにいわゆるテレフォトタイプ（望遠タイプ）のレンズ構成をとっている。
【００２４】
この場合、大口径（Ｆナンバーを小さくすること）化を効果的に達成するためには、Ｆナンバーを決める光束を物体側近傍のレンズ径で決めるのが良い。そうすると望遠レンズの中では物体側のレンズほど有効径が大きくなる。特にＦナンバーが小さくなればなる程レンズの有効径も増大し、それに伴って外径も増大し、さらに概略その３乗で材料の重量が増す。そのため大口径比の望遠レンズほど像側より物体側のレンズの重量が増大し易い。
【００２５】
このような状況においてレンズ系全体の重量を軽減するためには、仕様や結像性能を変えずにレンズ全長を短縮したり、第１レンズ群の構成レンズ枚数を削減したり、レンズ径を小さくすることが必要となってくる。
【００２６】
そこで、本発明はこの望遠タイプのレンズ系においてレンズ系全体の重量を軽減するために、レンズ全長を短縮している。ここでレンズ全長を短縮するための一方法として、正のパワーである第１レンズ群のパワーを強めることや、第１レンズ群自体のレンズ群の厚みを薄くすることなどある。しかし、一般的に焦点距離と比較してＦナンバーが小さい望遠レンズは、Ｆナンバーが大きい望遠レンズに比べて球面収差やコマ収差が増大してくる。
【００２７】
従来よりＦナンバーが大きい望遠レンズに比べて、Ｆナンバーの小さな望遠レンズでは第１レンズ群の有効径が第１レンズ群のレンズ枚数を増やすことで諸収差の補正を行っている。Ｆナンバーの小さな望遠レンズはＦナンバーの大きな望遠レンズに比べて第１レンズ群の有効径が大きい。このためＦナンバーが大きい望遠レンズのように、単に第１レンズ群のパワーを強めて、レンズ全長を短縮しようとすると、Ｆナンバーが大きい望遠レンズよりも第１レンズ群の有効径が大きいために、第１レンズ群中の正レンズの肉厚が増大してくる。
【００２８】
そのため第１レンズ群の材料の重量が増大してしまい、レンズ全長の短縮に見合った軽量化が困難となる。またレンズ枚数が多いためレンズ全長を短縮するための空気間隔が少なく、レンズ全長の短縮効果が十分でなかった。
【００２９】
そこで本発明の撮影レンズでは仕様や結像性能を変えずに第１レンズ群Ｌ１のレンズ枚数を削減して第１レンズ群Ｌ１のレンズ群厚を薄くし、レンズ全長を短縮を行っている。
【００３０】
具体的な構成として各実施例において、第１レンズ群Ｌ１は正レンズと、物体側の面が凸でメニスカス形状の正レンズと、接合レンズを有している。また瞳近軸光線が光軸と交わる位置よりも物体側に少なくとも１つの回折光学素子ＤＯＥと少なくとも１つの後述する条件式で定義する固体材料からなるＮＬＦ光学素子ＮＬＦを有している。更に瞳近軸光線が光軸と交わる位置よりも物体側に必要に応じて少なくとも１つの非球面を有するようにしている。
【００３１】
このように第１レンズ群が非球面と回折光学素子を有することで、より物体側のレンズ群で発生する球面収差やコマ収差などの単色収差と色収差を補正できるため、レンズ枚数を削減することが容易となる。また第１レンズ群Ｌ１中の正レンズによって光束を収れんさせることでレンズ全長を短縮している。そしてメニスカス形状の正レンズを有することで、レンズ全長を短縮するための正のパワーを担うと共に、物体側のレンズ面と像側のレンズ面での曲率差を利用して球面収差やコマ収差の補正を非球面と分担している。これにより第１レンズ群のパワーと収差補正をバランスしている。
【００３２】
また第１レンズ群Ｌ１は少なくとも１つの接合レンズを有し、これにより製造誤差によるレンズ位置敏感度を抑えつつ、第１レンズ群Ｌ１内の色収差を補正している。更に固体材料からなる光学素子を用いて、ｇＦ線間の色収差を補正している。これは第１レンズ群Ｌ１のパワーを増大させて、レンズ全長を短縮するとｇＦ線間の色収差の補正が十分ではなくなるためである。次にこの色収差の補正のメカニズムについて述べる。
【００３３】
望遠レンズにおいて、瞳近軸光線が光軸と交わる位置よりも物体側では、近軸軸上光線が光軸から高い位置を通過するため、像面側よりも軸上色収差が多く発生する。また瞳近軸光線が光軸と交わる位置から物体側（又は像側）へ行けば行くほど軸外主光線がレンズの周辺部分を通過するため、倍率色収差が多く発生する。
【００３４】
そのため、各実施例では瞳近軸光線が光軸と交わる位置よりも物体側に回折光学素子ＤＯＥを配置して、軸上色収差と倍率色収差の両方を補正している。特にＣＦ線間の色収差の補正とｇＦ線間の色収差の補正を行っている。
【００３５】
一方、レンズ全長の短縮のために第１レンズ群Ｌ１のパワーを強めていくと、色収差、特にｇＦ線間の色収差が増大してくる。そして第１レンズ群Ｌ１内で色収差の補正を行おうとすると、軸上色収差への効き方と倍率色収差への効き方が異なるために、回折光学素子ＤＯＥとガラスだけで軸上色収差と倍率色収差の両方のｄ、ｇ、Ｃ、Ｆ線の４波長の色消しを行うことが難しくなる。特に、倍率色収差を補正しようとすると、ｇＦ線間の軸上色収差が補正過剰になる。
【００３６】
また軸上色収差を補正しようとすると、ｇＦ線間の倍率色収差が補正不足となってくる。第１レンズ群Ｌ１のパワーを増大させて、レンズ全長を短縮するとガラスと回折光学素子ＤＯＥだけではｇＦ線間の色収差補正が十分ではなくなるのはこの理由からである。そこで、各実施例では瞳近軸光線が光軸と交わる位置よりも物体側に少なくとも１つの固体材料からなるＮＬＦ光学素子ＮＬＦを有するようにしてｇＦ線間の色収差を補正している。これにより、全体として軽量で高画質な画像が得られる撮影光学系を構成している。
【００３７】
多くの撮影光学系においてフォーカシングは、撮影光学系全体を移動させたり、もしくは撮影光学系の一部のレンズ群を移動させたりして行っている。このうち焦点距離が長くＦナンバーが小さい大口径比の望遠レンズでは、レンズ系が大型となり、又、Ｆナンバーの大きい望遠レンズに比べて高重量となる。このため、望遠レンズ全体を移動させてフォーカシングを行うのが機構的に困難となる。
【００３８】
そこで各実施例の撮影光学系では、第１レンズ群Ｌ１よりも像側に位置する小型軽量なレンズ群を光軸上移動させることによってフォーカシングを行っている。これによれば、光学系全体や第１レンズ群Ｌ１全体を移動させてフォーカスすることに比して格段に小さい駆動装置でフォーカスすることが容易となる。
【００３９】
また各実施例の撮影光学系は第２レンズ群Ｌ２より像側に第３レンズ群Ｌ３を配置している。第２レンズ群Ｌ２より像側に第３レンズ群Ｌ３を配置することで、軸上光線の高さが低く、かつ軸外主光線が高い位置を通過する箇所にレンズ面を配置することができる。これにより、像面湾曲や倍率色収差の補正を容易にしている。
【００４０】
各実施例の撮影光学系Ｌ０は、物体側から像側へ順に、正の屈折力の第１レンズ群Ｌ１、正又は負の屈折力の第２レンズ群Ｌ２、正又は負の屈折力の第３レンズ群Ｌ３より構成されている。第１レンズ群Ｌ１は、正レンズと物体側の面が凸でメニスカス形状の正レンズと、接合レンズを有している。瞳近軸光線が光軸と交わる位置よりも物体側に少なくとも１つの回折光学素子ＤＯＥを有している。
【００４１】
また瞳近軸光線が光軸と交わる位置よりも物体側に少なくとも１つの非球面を有している。また瞳近軸光線が光軸と交わる位置よりも物体側に少なくとも１つの後述する条件式で定義する固体材料からなるＮＬＦ光学素子ＮＬＦを有している。第２レンズ群Ｌ２または第３レンズ群Ｌ３を光軸上を移動させてフォーカシングを行っている。
【００４２】
各実施例において、全系の焦点距離をf、第１レンズ群Ｌ１の焦点距離をf1とする。無限遠物体にフォーカスしたときの全系のＦナンバーをFnoとする。第１レンズ群Ｌ１の最も物体側のレンズ面頂点から、第１レンズ群Ｌ１の最も像側のレンズ面頂点までの距離をd1aとする。回折光学素子ＤＯＥの回折成分のみによる焦点距離をfDOEとする。ＮＬＦ光学素子ＮＬＦの焦点距離をfNLFとする。ＮＬＦ光学素子ＮＬＦの材料の部分分散比差
をΔθgFNLFとする。
【００４３】
このとき、
4.0＜f2/(f1×Fno×d1a)＜10.0      ・・・（１）
20 ＜ fDOE×fNLF/f2＜1000          ・・・（２）
0.0272 ＜ ΔθgFNLF ＜ 0.3000    ・・・（３）
なる条件を満足している。
【００４４】
ただし部分分散比差ΔθgFNLFは、固体材料からなるＮＬＦ光学素子ＮＬＦのｄ線における屈折率をＮdNLF、ｇ線における屈折率をＮgNLF、Ｃ線における屈折率をＮCNLF、Ｆ線における屈折率をＮFNLFとする。このとき次に示す式で定義するものである。
【００４５】
νdNLF＝（ＮdNLF−1）／（ＮFNLF−ＮCNLF）
θgFNLF＝（ＮgNLF−ＮFNLF）／（ＮFNLF−ＮCNLF）
θgFBF＝−1.665×10-7×νdNLF3＋5.213×10-5×νdNLF2−5.656×10-3×νdNLF＋0.7
278
ΔθgFNLF＝θgFNLF−θgFBF
次に前述の各条件式の技術的意味について説明する。条件式（１）は撮影光学系Ｌ０の第１レンズ群Ｌ１のパワーとレンズ群厚に関する。条件式（１）の上限値を超えると、第１レンズ群Ｌ１のパワーが強くなりすぎるかレンズ群の厚みが薄くなりすぎる。どちらもレンズ全長の短縮には効果があるが、第１レンズ群Ｌ１より発生する球面収差やコマ収差を第１レンズ群Ｌ１内で補正することが難しくなり、レンズ全系で球面収差とコマ収差が補正不足となるため好ましくない。
【００４６】
一方、条件式（１）の下限値を超えると、第１レンズ群Ｌ１のパワーが弱くなるか、第１レンズ群Ｌ１のレンズ群の厚みが厚くなるため、レンズ全長の短縮が難しくなる。条件式（１）は更に好ましくは次の如く設定するのが良い。
【００４７】
4.95＜f2/(f1×Fno×d1a)＜8.00        ・・・（１ａ）
条件式（２）は撮影光学系Ｌ０の瞳近軸光線が光軸と交わる位置よりも物体側に配置された回折光学素子と固体材料からなるＮＬＦ光学素子ＮＬＦのパワーに関する。条件式（２）の上限値（又は下限値）を超えると、回折光学素子ＤＯＥと固体材料からなるＮＬＦ光学素子ＮＬＦのどちらかのパワーが弱すぎる（又は強すぎる）、または両方のパワーが弱すぎる（又は強すぎる）ことになる。そうすると、軸上色収差と倍率色収差をバランス良く補正するのが難しくなる。特にｇＦ線間の色収差の補正が不十分となる。条件式（２）は更に好ましくは次の如く設定するのが良い。
【００４８】
30 ＜ fDOE×fNLF/f2＜800            ・・・（２ａ）
条件式（３）は固体材料からなるＮＬＦ光学素子ＮＬＦの部分分散比差に関する。条件式（３）の上限値を超えると、固体材料からなるＮＬＦ光学素子ＮＬＦの部分分散比差が大きくなりすぎてしまう。そうすると短波長側の色収差が過補正になってくる。
【００４９】
一方、条件式（３）の下限値を超えると、固体材料からなるＮＬＦ光学素子ＮＬＦの部分分散比差が小さくなってしまう。そうすると短波長側の色収差が補正不足になってくる。
【００５０】
条件式（３）は更に好ましくは次の如く設定するのが良い。
【００５１】
0.0272 ＜ ΔθgFNLF ＜ 0.2500        ‥‥‥（３ａ）
また条件式（３ａ）は更に好ましくは次の如く設定するのが良い。
【００５２】
0.0272 ＜ ΔθgFNLF ＜ 0.2000        ‥‥‥（３ｂ）
図１０は固体材料からなるＮＬＦ光学素子ＮＬＦの具体的な材料による光学特性の説
明図である。
【００５３】
条件式（３）を満足する固体材料（以下「光学材料」ともいう。）の具体例としては、例えば樹脂がある。様々な樹脂の中でも特にＵＶ硬化樹脂（Ｎｄ＝１．６３５，νｄ＝２２．７，θｇＦ＝０．６９）やＮ−ポリビニルカルバゾール（Ｎｄ＝１．６９６，νｄ＝１７．７，θｇＦ＝０．６９）は条件式（３）を満足する光学材料である。尚、条件式（３）を満足する樹脂であれば、これらに限定するものではない。
【００５４】
また、一般の硝材とは異なる特性を持つ光学材料として、下記の無機酸化物ナノ微粒子（無機微粒子）を合成樹脂（透明媒体）中に分散させた混合体がある。無機酸化物ナノ微粒子の例としては、ＴｉＯ2（Ｎｄ＝２．３０４，νｄ＝１３．８），Ｎｂ2Ｏ5（Ｎｄ＝２．３６７，νｄ＝１４．０）がある。この他ＩＴＯ（Ｎｄ＝１．８５７１，νｄ＝５．６８），Ｃｒ2Ｏ3（Ｎｄ＝２．２１７８，νｄ＝１３．４），ＢａＴｉＯ3（Ｎｄ＝２．４３６２，νｄ＝１１．３）等がある。
【００５５】
これらの無機酸化物の中では、ＴｉＯ2（Ｎｄ＝２．３０４，νｄ＝１３．８，θｇＦ＝０．８７）微粒子を合成樹脂中に適切なる体積比で分散させた場合、上記条件式（３）を満足する光学材料が得られる。ＴｉＯ2は様々な用途で使われる材料であり、光学分野では反射防止膜などの光学薄膜を構成する蒸着用材料として用いられている。他にも光触媒、白色顔料などとして、またＴｉＯ2微粒子は化粧品材料として用いられている。
【００５６】
各実施例において合成樹脂に分散させるＴｉＯ2微粒子の平均径は、散乱などの影響を考えると２ｎｍ〜５０ｎｍ程度がよく、凝集を抑えるために分散剤などを添加しても良い。また、合成樹脂の光学定数の特性としても、部分分散比が比較的大きい合成樹脂、あるいはアッベ数が比較的小さい合成樹脂か、両者を満たす合成樹脂が良く、Ｎ−ポリビニルカルバゾール、スチレン、ポリメタクリル酸メチル（アクリル）、などが適用できる。後述する実施例ではＴｉＯ2微粒子を分散させる合成樹脂としてＵＶ硬化樹脂、Ｎ−ポリビニルカルバゾールを用いている。しかし、これに限定するものではない。
【００５７】
ナノ微粒子を分散させた混合体の分散特性Ｎ（λ）は、良く知られたＤｒｕｄｅの式から導きだされた次式によって簡単に計算することができる。即ち、波長λにおける屈折率Ｎ（λ）は、
Ｎ(λ)＝［１＋Ｖ｛ＮTiO2(λ)−１｝＋（１−Ｖ）｛ＮP2(λ)−１｝］1/2‥‥‥（Ａ）
である。ここで、λは任意の波長、ＮTiOはＴｉＯ2の屈折率、ＮPは合成樹脂の屈折率、
Ｖは合成樹脂体積に対するＴｉＯ2微粒子の総体積の分率である。
【００５８】
以上のように各実施例によれば、色収差を含めた諸収差の補正が容易で、しかも全系の小型化及びレンズ重量の軽量化を図ることができる撮影光学系が得られる。
【００５９】
本発明の撮影レンズにおいて、更に好ましくは次に述べる条件のうち少なくとも１つを満足するのが良く、これによれば更なるレンズ全長を短縮しつつ高い光学性能が容易に得られる。前記第１レンズ群を構成する物体側の面が凸でメニスカス形状の正レンズについて、最も物体側の空気と接するレンズ面の曲率半径をＲＭ１、最も像側の空気と接するレンズ面の曲率半径をＲＭ２とする。
ただし、接合レンズにより物体側の面が凸でメニスカス形状の正レンズを構成する場合は、接合レンズ全体で最も物体側の空気と接するレンズ面の曲率半径をＲＭ１、前記接合レンズ全体で最も像側の空気と接するレンズ面の曲率半径をＲＭ２とする。無限遠物体にフォーカスしているときの第１レンズ群Ｌ１と第２レンズ群Ｌ２の合成焦点距離をf12、全系の最も物体側のレンズ面頂点から像面までの光軸上の長さをLとする。
【００６０】
第１レンズ群Ｌ１に含まれる正レンズのパワーの総和をφPSUM、第１レンズ群Ｌ１に含まれる負レンズのパワーの総和をφNSUMとする。最も物体側のレンズ面頂点から開口絞りＳＰまでの光軸上の長さをd-spとする。瞳近軸光線が光軸と交わる位置よりも像側に少なくとも１つの固体材料からなるＮＬＲ光学素子ＮＬＲを有する。そして、ＮＬＲ光学素子ＮＬＲの焦点距離をfNLRとする。ＮＬＲ光学素子ＮＬＲを構成する材料の部分分散比差をΔθgFNLRとする。
【００６１】
第３レンズ群Ｌ３は物体側から像側へ順に、第３１レンズ群Ｌ３１、防振機能を有する第３２レンズ群Ｌ３２、第３３レンズ群Ｌ３３より構成されている。第１レンズ群Ｌ１に含まれる各レンズとＮＬＦ光学素子ＮＬＦをそれぞれ光学要素とし、物体側から像側へ順に数える。
【００６２】
そして第ｉ番目（ｉ＝１，２…）の光学要素のパワーをφL1i、材料の部分分散比差をΔθgFL1i、材料のアッベ数をνL1iとする。第３３レンズ群Ｌ３３に含まれるレンズとＮＬＲ光学素子ＮＬＲをそれぞれ光学要素とし、物体側から順に数える。このとき第ｊ番目（ｊ＝１，２…）の光学要素のパワーをφL33j、材料の部分分散比差をΔθgFL33j、材料のアッベ数をνL33jとし、全系のパワーをφとする。Σは総和を表し、ｎを第１レンズ群Ｌ１に含まれるレンズ枚数、ｍを第３３レンズ群Ｌ３３に含まれるレンズ枚数とする。
このとき、以下の条件式のうち１以上を満足するのが良い。
【００６３】
0.01＜(ＲＭ２−ＲＭ１)/(ＲＭ１＋ＲＭ２)＜0.70  ・・・（４）
2.0＜f2/(f12×L)＜10.0                          ・・・（５）
1.4＜｜φPSUM/φNSUM｜＜3.0                      ・・・（６）
4.0＜f2/(d-sp×L)＜15.0                          ・・・（７）
-50.0 ＜ fDOE×fNLR/f2＜-2.0                    ・・・（８）
0.0272 ＜ ΔθgFNLR ＜ 0.3000                  ・・・（９）
【００６４】
【数１】
0005885518.tif 000002
但し、ＮＬＲ光学素子ＮＬＲを含まないときは条件式（８）、（９）は除外する。
【００６５】
ここでパワーの総和φSUMは各レンズのパワーをそれぞれφ１，φ２，φ３・・・とするとき、
φSUM＝φ１＋φ２＋φ３＋・・・
である。
【００６６】
また部分分散比差ΔθgFNLRは、固体材料からなるＮＬＲ光学素子ＮＬＲのｄ線における屈折率をＮdNLR、ｇ線における屈折率をＮgNLRとする。Ｃ線における屈折率をＮCNLR、Ｆ線における屈折率をＮFNLRとする。このとき次に示す式で定義するものである。
【００６７】
νdNLR＝（ＮdNLR−1）／（ＮFNLR−ＮCNLR）
θgFNLR＝（ＮgNLR−ＮFNLR）／（ＮFNLR−ＮCNLR）
θgFBR＝−1.665×10-7×νdNLR3＋5.213×10-5×νdNLR2−5.656×10-3×νdNLR＋0.7
278
ΔθgFNLR＝θgFNLR−θgFBR
また部分分散比差ΔθgFL1i、ΔθgFL33jは、それぞれｄ線における屈折率をＮdL1i、
ＮdL33j、ｇ線における屈折率をＮgL1i、ＮgL33j、Ｃ線における屈折率をＮCL1i、ＮCL33
jとする。Ｆ線における屈折率をＮFL1i、ＮFL33jとする。このとき次に示す式で定義する
ものである。
【００６８】
ΔθgFL1i=θgFL1i-(-1.61783×10-3×νdL1i+0.64146)
ΔθgFL33j=θgFL33j-(-1.61783×10-3×νdL33j+0.64146)
νdL1i＝（ＮdL1i−1）／（ＮFL1i−ＮCL1i）
νdL33j＝（ＮdL33j−1）／（ＮFL33j−ＮCL33j）
θgFL1i=（ＮgL1i−ＮFL1i）／（ＮFL1i−ＮCL1i）
θgFL33j=（ＮgL33j−ＮFL33j）／（ＮFL33j−ＮCL33j）
条件式（４）は第１レンズ群Ｌ１中のメニスカス形状の正レンズ(接合レンズの場合は
接合レンズ全体としてメニスカス形状の正レンズ)のレンズ形状に関する。
【００６９】
条件式（４）の上限値を超えると、メニスカス形状の正レンズの物体側のレンズ面と像側のレンズ面の曲率半径の差が大きくなりすぎる。そうするとパワーが大きくなるため、正のパワーの分担をしやすい反面、レンズへの入射光と射出光の角度差が大きくなるため収差補正が困難となり、球面収差やコマ収差が残存してくる。また下限値を超えるとメニスカス形状のレンズの物体側のレンズ面と像側のレンズ面の曲率半径の差が小さくなりすぎてしまい、収差補正が困難になる。
【００７０】
条件式（４）は更に好ましくは次の如く設定するのが良い。
【００７１】
0.03＜(RM2−RM1)/(RM1＋RM2)＜0.50      ・・・（４ａ）
また条件式（４ａ）は更に好ましくは次の如く設定するのが良い。
【００７２】
0.03＜(RM2−RM1)/(RM1＋RM2)＜0.45      ・・・（４ｂ）
条件式（５）は第１レンズ群Ｌ１と第２レンズ群Ｌ２の合成焦点距離に関する。条件式（５）の上限値を超えると、第１レンズ群Ｌ１と第２レンズ群Ｌ２の合成パワーが強くなりすぎるため、レンズ全長は短縮される。しかしながら第１レンズ群Ｌ１と第２レンズ群Ｌ２より発生する球面収差とコマ収差が増大し、全系としてこれらの収差を補正するのが困難となる。また下限値を超えると第１レンズ群Ｌ１と第２レンズ群Ｌ２の合成パワーが弱くなりすぎるため、レンズ全長を短縮するのが困難になる。
【００７３】
条件式（５）は更に好ましくは次の如く設定するのが良い。
【００７４】
2.3＜f2/(f12×L)＜7.0      ・・・（５ａ）
条件式（６）は第１レンズ群Ｌ１中の正レンズと負レンズの合成パワーに関する。条件式（６）の上限値を超えると、第１レンズ群Ｌ１中の負レンズのパワーに比べて正レンズのパワーが大きくなりすぎる。そうすると、正レンズで発生した色収差も含めた諸収差が負レンズで補正するのが困難となる。特に色収差に関してはＣＦ線間の色収差が残存してしまうため好ましくない。一方下限値を超えると、第１レンズ群Ｌ１中の負レンズのパワーに比べて正レンズのパワーが小さくなりすぎる。そうするとレンズ全長の短縮が困難となる。
【００７５】
条件式（６）は更に好ましくは次の如く設定するのが良い。
【００７６】
1.4＜｜φPSUM/φNSUM｜＜2.7      ・・・（６ａ）
また条件式（６ａ）は更に好ましくは次の如く設定するのが良い。
【００７７】
1.4＜｜φPSUM/φNSUM｜＜2.3      ・・・（６ｂ）
条件式（７）は撮影光学系Ｌ０の開口絞りＳＰの位置に関する。条件式（７）の上限値
を超えると、開口絞りＳＰが物体側へ寄りすぎる。そうすると軸上光束径が大きい位・BR
>Uに開口絞りＳＰを配置することになるため、絞り径が大きくなり、絞りユニットが大型化し、重量が増加してくる。
【００７８】
一方、下限値を超えると、開口絞りＳＰが像側へ寄りすぎる。そうすると軸外光束を十分に取り込もうとすると第１レンズ群のレンズ径が大きくなり、重量が増加してくる。
【００７９】
条件式（７）は更に好ましくは次の如く設定するのが良い。
【００８０】
4.5＜f2/(d-sp×L)＜13.0      ・・・（７ａ）
また条件式（７ａ）は更に好ましくは次の如く設定するのが良い。
【００８１】
5.0＜f2/(d-sp×L)＜12.0      ・・・（７ｂ）
条件式（８）は撮影光学系Ｌ０の瞳近軸光線が光軸と交わる位置よりも物体側に配置された回折光学素子ＤＯＥと、瞳近軸光線が光軸と交わる位置よりも像側に配置された固体材料からなるＮＬＲ光学素子ＮＬＲのパワーに関する。
【００８２】
条件式（８）の上限値（又は下限値）を超えると、回折光学素子ＤＯＥと固体材料からなるＮＬＲ光学素子ＮＬＲのどちらかのパワーが強すぎる（又は弱すぎる）、または両方のパワーが強すぎる（又は弱すぎる）ことになる。そうすると、軸上色収差と倍率色収差をバランス良く補正するのが困難となり、特にｇＦ線間の色収差が残存してしまう。条件式（８）は更に好ましくは次の如く設定するのが良い。
【００８３】
-30.0 ＜ fDOE×fNLR/f2＜-3.0            ・・・（８ａ）
条件式（９）は固体材料からなるＮＬＲ光学素子ＮＬＲの部分分散比差に関する。条件式（９）の上限値を超えると、固体材料からなるＮＬＲ光学素子ＮＬＲの部分分散比差が大きくなりすぎてしまう。そうすると、色収差の補正が困難となる。特に短波長側の色収差が過補正になってしまう。
【００８４】
一方、条件式（９）の下限値を超えると、固体材料からなるＮＬＲ光学素子ＮＬＲの部分分散比差が小さくなってしまう。そうすると色収差の補正が困難となる。特に短波長側の色収差が補正不足となってくる。
【００８５】
条件式（９）は更に好ましくは次の如く設定するのが良い。
【００８６】
0.0272 ＜ ΔθgFNLR ＜ 0.2500        ‥‥‥（９ａ）
また条件式（９ａ）は更に好ましくは次の如く設定するのが良い。
【００８７】
0.0272 ＜ ΔθgFNLR ＜ 0.2000        ‥‥‥（９ｂ）
条件式（９）を満足する固体材料の具体例としては、条件式（３）を満足する固体材料と同様の材料であり、その光学特性を図１０に示す。
【００８８】
条件式（１０）は第１レンズ群Ｌ１の色収差の補正に関する。条件式（１０）の上限値又は下限値を超えると、ｇ線とＦ線の間の軸上色収差とＣ線とＦ線間の軸上色収差をバランス良く補正するのが難しくなり、全体として軸上色収差が残存してしまう。条件式（１０）は更に好ましくは次の如く設定するのが良い。
【００８９】
【数２】
0005885518.tif 000003
条件式（１１）は第３３レンズ群Ｌ３３の色収差の補正に関する。条件式（１１）の上限値又は下限値を超えると、ｇ線とＦ線の間の倍率色収差とＣ線とＦ線間の倍率色収差をバランス良く補正するのが難しくなり、全体として倍率色収差が残存してしまう。条件式（１１）は更に好ましくは次の如く設定するのが良い。
【００９０】
【数３】
0005885518.tif 000004
以上のように各実施例によれば画面内全体に渡って色収差を補正し、高い光学性能を持った撮影光学系が容易に得られる。
【００９１】
次に各実施例のレンズ構成の特徴について説明する。各レンズに付した符号のレンズは前述した各レンズに付した符号のレンズと対応している。まず各実施例で共通しているレンズ構成を説明する。各実施例では、最も物体側から順に正のパワーの第１レンズ群Ｌ１、正又は負のパワーの第２レンズ群Ｌ２、正又は負のパワーの第３レンズ群Ｌ３を有している。そして第１レンズ群Ｌ１よりも像側に開口絞りＳＰを有している。また第３レンズ群Ｌ３は、正又は負のパワーの第３１レンズ群Ｌ３１と、負のパワーの第３２レンズ群Ｌ３２と正のパワーの第３３レンズ群Ｌ３３を有している。
【００９２】
そして撮影光学系Ｌ０が振動した時の撮影画像のブレの補正（振動補償）を第３２レンズ群Ｌ３２を可動レンズ群（画像変位補正群）とし、矢印ＬＴの如く光軸と直交する方向に移動させて行なっている。
【００９３】
次に、各実施例の撮影光学系Ｌ０で用いた回折光学素子ＤＯＥの構成について説明する。各実施例で用いている回折格子は従来より知られている単層又は積層型の回折格子である。即ち、撮影光学系Ｌ０内に配置される回折光学素子ＤＯＥを構成する回折光学部Ｄは、光軸に対して回転対称な回折格子より成っている。回折光学素子ＤＯＥは基板（透明基板）上に１つの層又は複数の層を積層した回折格子（回折光学部）Ｄを設けている。回折格子の光学材料は、紫外線硬化樹脂（屈折率ｎd＝１．５１３、アッベ数νd＝５１．０）を用いている。
【００９４】
回折格子Ｄの格子部の格子厚を単層のときは１．０３μｍと設定し、波長５３０ｎｍ、＋１次の回折光の回折効率が最も高くなるようにしている。すなわち設計次数が＋１次で、設計波長が波長５３０ｎｍである。
【００９５】
この他各実施例においては、異なる材料よりなる複数の回折格子を積層した積層型の回折光学素子も適用可能である。積層型の回折光学素子では、基板上に、例えば紫外線硬化樹脂（屈折率ｎd＝１．４９９、アッベ数νd＝５４）からなる第１の回折格子を形成している。更にその上に第２の回折格子（屈折率ｎd＝１．５９８、アッベ数νd＝２８）を形成している。この材料の組み合わせにおいて、第１の回折格子の格子部の格子厚ｄ1はｄ1＝１３．８μｍ、第２の回折格子の格子部の格子厚ｄ2はｄ2＝１０．５μｍとしている。
【００９６】
積層構造の回折格子を備えた回折光学素子にすることで、設計次数の回折光において使用波長全域（ここでは可視域）で９５％以上という高い回折効率を得ている。
【００９７】
各実施例において、回折光学部Ｄは光学面の上に施されているが、そのベースは球面又は平面又は非球面でも良い。また、回折光学部は、それらの光学面にプラスチックなどの膜を回折光学部（回折面）として添付する方法である所謂レプリカで作成しても良い。回折格子の形状は、その２ｉ次項の位相係数をＣ2iとした時、光軸からの距離Ｈにおける位相φ（Ｈ）は次式で表される。ただしｍは回折次数、λ0は基準波長である。
【００９８】
【数４】
0005885518.tif 000005
一般に、レンズ、プリズム等の屈折光学材料のアッベ数（分散値）νdは、ｄ、Ｃ、Ｆ
線の各波長における屈折率をＮd、ＮC、ＮFとした時、次式で表される。
【００９９】
νd＝（Ｎd−１）／（ＮF−ＮC）＞０      ・・・（ｂ）
一方、回折光学部のアッベ数νdはｄ、Ｃ、Ｆ線の各波長をλd、λC、λFとした時
νd＝λd／（λF−λC）                  ・・・（ｃ）
と表され、νd＝−３．４５となる。
【０１００】
これにより、任意波長における分散性は、屈折光学素子と逆作用を有する。また、回折光学部の基準波長における近軸的な一時回折光（ｍ ＝ １）のパワーφDは、回折光学部Ｄの位相を表す前式（ａ）から２次項の係数をＣ2とした時、φD= −２・Ｃ2と表される。これより回折光学素子ＤＯＥの回折成分のみによる焦点距離ｆDOEは
【０１０１】
【数５】
0005885518.tif 000006
となる。さらに、任意波長をλ、基準波長をλ0とした時、任意波長の基準波長に対するパワー変化φD'は、次式となる。
【０１０２】
φD'＝（λ／λ0）×（−２・Ｃ2）            ・・・（ｄ）
これにより、回折光学部Ｄの特徴として、前式（ａ）の位相係数Ｃ2を変化させることにより、弱い近軸屈折力変化で大きな分散性が得られる。これは色収差以外の諸収差に大きな影響を与えることなく、色収差の補正を行うことを意味している。また位相係数Ｃ4以降の高次数の係数については、回折光学部Ｄの光線入射高の変化に対するパワー変化は非球面と類似した効果を得ることができる。それと同時に、光線入射高の変化に応じて基準波長に対し任意波長の屈折力変化を与えることができる。このため、倍率色収差の補正に有効である。
【０１０３】
さらに本発明の撮影光学系Ｌ０のように、軸上光線がレンズ面を通過する際、光軸からの高さが高い位置を通過する面に回折光学素子ＤＯＥを配置すれば、軸上色収差の補正にも有効である。
【０１０４】
次に各実施例における詳細な構成について説明する。
【０１０５】
［実施例１］
図１（Ａ）の実施例１の撮影光学系Ｌ０のレンズ構成について説明する。第１レンズ群Ｌ１は３つの正レンズと１つの固体材料からなるＮＬＦ光学素子ＮＬＦと１つの負レンズより構成されている。これらの中には接合レンズが含まれている。接合レンズは回折光学素子ＤＯＥの一部を構成している。回折光学素子ＤＯＥを構成する回折光学部Ｄは、接合レンズの接合レンズ面に配置されている。接合レンズの接合面には固体材料からなるＮＬＦ光学素子ＮＬＦが配置されている。
【０１０６】
条件式(４)に対応するメニスカスレンズは物体側から数えて２番目の正レンズである。第１レンズ群Ｌ１の最も物体側の正レンズと接合レンズの物体側のレンズ面は各々非球面形状である。第２レンズ群Ｌ２は正レンズと負レンズの接合レンズから構成されている。
【０１０７】
第３レンズ群Ｌ３を構成する第３１レンズ群Ｌ３１は、正レンズと負レンズを接合した２組の接合レンズから構成されている。第３２レンズ群Ｌ３２は、正レンズと負レンズを接合した１組の接合レンズと、１つの負レンズから構成されている。第３２レンズ群Ｌ３２は光軸に対して垂直方向の成分を持つ方向に移動して結像位置を光軸に対して垂直方向に変移する防振機能を有している。
【０１０８】
第３３レンズ群Ｌ３３は、１つの正レンズと、２組の接合レンズから構成されている。この２組の接合レンズのうち像側の接合レンズの接合レンズ面には固体材料からなるＮＬＲ光学素子ＮＬＲが配置されている。また、第３３レンズ群Ｌ３３の最も物体側の正レンズの物体側のレンズ面と、２組の接合レンズのうち物体側の接合レンズの最も像側の面は非球面形状である。尚、無限遠物体から近距離物体へのフォーカシングは第２レンズ群Ｌ２を光軸上像面側へ移動させることで行なっている。
【０１０９】
［実施例２］
図２（Ａ）の実施例２の撮影光学系Ｌ０のレンズ構成について説明する。第１レンズ群Ｌ１は４つの正レンズと１つの固体材料からなるＮＬＦ光学素子ＮＬＦと１つの負レンズより構成されている。これらの中には２つの接合レンズが含まれている。２つの接合レンズのうち、物体側の正レンズ同士の接合レンズは回折光学素子ＤＯＥを構成している。回折光学素子ＤＯＥを構成する回折光学部Ｄは、この接合レンズの接合レンズ面に配置されている。
【０１１０】
また像側の、負レンズと正レンズからなる接合レンズの接合レンズ面には固体材料からなるＮＬＦ光学素子ＮＬＦが配置されている。条件式(４)に対応するメニスカスレンズは物体側から数えて３番目の正レンズである。第１レンズ群Ｌ１の接合レンズ、単レンズともに、物体側の空気に接するレンズ面は非球面形状である。第２レンズ群Ｌ２は正レンズと負レンズの接合レンズから構成されている。
【０１１１】
第３レンズ群Ｌ３を構成する第３１レンズ群Ｌ３１は、正レンズと負レンズを接合した２組の接合レンズから構成されている。第３２レンズ群Ｌ３２は、防振機能を有し、正レンズと負レンズを接合した１組の接合レンズと、１つの負レンズから構成されている。第３３レンズ群Ｌ３３は、１つの正レンズと、２組の接合レンズから構成されている。この２組の接合レンズのうち最も像側の接合レンズの接合レンズ面には固体材料からなるＮＬＲ光学素子ＮＬＲが配置されている。
【０１１２】
また、第３３レンズ群Ｌ３３の最も物体側の正レンズの物体側のレンズ面と、２組の接合レンズのうち最も物体側の接合レンズの最も像側のレンズ面は非球面形状である。尚、無限遠物体から近距離物体へのフォーカシングは第２レンズ群Ｌ２を像面側へ移動させることで行なっている。
【０１１３】
［実施例３］
図３（Ａ）の実施例３の撮影光学系Ｌ０のレンズ構成について説明する。第１レンズ群Ｌ１は４つの正レンズと１つの固体材料からなるＮＬＦ光学素子ＮＬＦと１つの負レンズで構成されている。これらの中には２つの接合レンズが含まれている。２つの接合レンズのうち、物体側の正レンズ同士の接合レンズの接合レンズ面には固体材料からなるＮＬＦ光学素子ＮＬＦが配置されている。また像側の、負レンズと正レンズからなる接合レンズは回折光学素子ＤＯＥを構成している。回折光学素子ＤＯＥを構成する回折光学部Ｄは、この接合レンズの接合レンズ面に配置されている。
【０１１４】
条件式(４)に対応するメニスカスレンズは物体側から数えて３番目の正レンズである。第１レンズ群Ｌ１の接合レンズ、単レンズともに、物体側の空気に接するレンズ面は非球面形状である。第２レンズ群Ｌ２は正レンズと負レンズの接合レンズから構成されている。
【０１１５】
第３レンズ群Ｌ３を構成する、第３１レンズ群Ｌ３１は、正レンズと負レンズを接合した２組の接合レンズから構成されている。第３２レンズ群Ｌ３２は、防振機能を有し、正レンズと負レンズを接合した１組の接合レンズと、１つの負レンズから構成されている。第３３レンズ群Ｌ３３は、１つの正レンズと、２組の接合レンズから構成されている。この２組の接合レンズのうち最も像側の接合レンズの接合レンズ面には固体材料からなるＮＬＲ光学素子ＮＬＲが配置されている。また、第３３レンズ群Ｌ３３の最も物体側の正レンズの物体側面と、２組の接合レンズのうち最も物体側の接合レンズの最も像側のレンズ面は非球面形状である。尚、無限遠物体から近距離物体へのフォーカシングは第２レンズ群Ｌ２を像面側へ移動させることで行なっている。
【０１１６】
［実施例４］
図４（Ａ）の実施例４の撮影光学系Ｌ０のレンズ構成について説明する。第１レンズ群Ｌ１は３つの正レンズと１つの固体材料からなるＮＬＦ光学素子ＮＬＦと１つの負レンズで構成されている。これらの中には１つの接合レンズが含まれている。接合レンズは回折光学素子ＤＯＥを構成している。回折光学素子ＤＯＥを構成する回折光学部Ｄは、接合レンズの接合レンズ面に配置されている。更に接合レンズの接合レンズ面には固体材料からなるＮＬＦ光学素子ＮＬＦが配置されている。
【０１１７】
条件式(４)に対応するメニスカスレンズは物体側から数えて２番目の正レンズである。第１レンズ群Ｌ１の接合レンズ、単レンズともに、物体側の空気に接するレンズ面は非球面形状である。第２レンズ群Ｌ２は正レンズと負レンズの接合レンズから構成されている。
【０１１８】
第３レンズ群Ｌ３を構成する第３１レンズ群Ｌ３１は、負レンズと正レンズを接合した接合レンズから構成されている。第３２レンズ群Ｌ３２は防振機能を有し、正レンズと負レンズを接合した１組の接合レンズと、１つの負レンズから構成されている。
【０１１９】
第３３レンズ群Ｌ３３は、１つの正レンズと、１つの負レンズと、２組の接合レンズから構成されている。この２組の接合レンズのうち最も像側の接合レンズの接合レンズ面には固体材料からなるＮＬＲ光学素子ＮＬＲが配置されている。また、第３３レンズ群Ｌ３３の最も物体側の正レンズの物体側のレンズ面は非球面形状である。尚、無限遠物体から近距離物体へのフォーカシングは第２レンズ群Ｌ２を像面側へ移動させることで行なっている。
【０１２０】
［実施例５］
図５（Ａ）の実施例５の撮影光学系Ｌ０のレンズ構成について説明する。第１レンズ群Ｌ１は４つの正レンズと１つの固体材料からなるＮＬＦ光学素子ＮＬＦと１つの負レンズで構成されている。これらの中には２つの接合レンズが含まれている。物体側の正レンズ同士の接合レンズの接合レンズ面には固体材料からなるＮＬＦ光学素子ＮＬＦが配置されている。また像側の、負レンズと正レンズからなる接合レンズは回折光学素子ＤＯＥを構成している。回折光学素子ＤＯＥを構成する回折光学部Ｄは、この接合レンズの接合レンズ面に配置されている。
【０１２１】
条件式(４)に対応するメニスカスレンズは物体側から数えて最初の接合レンズと３番目の正レンズが対応している。第１レンズ群Ｌ１の接合レンズ、単レンズともに、物体側の空気に接するレンズ面は非球面形状である。第２レンズ群Ｌ２は正レンズと負レンズの接合レンズから構成されている。
【０１２２】
第３レンズ群Ｌ３を構成する第３１レンズ群Ｌ３１は、負レンズと正レンズを接合した接合レンズから構成されている。第３２レンズ群Ｌ３２は防振機能を有し、正レンズと負レンズを接合した１組の接合レンズと、１つの負レンズから構成されている。第３３レンズ群Ｌ３３は、１つの正レンズと、１つの負レンズと、２組の接合レンズから構成されている。この２組の接合レンズのうち最も像側の接合レンズの接合レンズ面には固体材料からなるＮＬＲ光学素子ＮＬＲが配置されている。
【０１２３】
第３３レンズ群Ｌ３３の最も物体側の正レンズの物体側のレンズ面は非球面形状である。尚、無限遠物体から近距離物体へのフォーカシングは第２レンズ群Ｌ２を像面側へ移動させることで行なっている。
【０１２４】
［実施例６］
図６（Ａ）の実施例６の撮影光学系Ｌ０のレンズ構成について説明する。第１レンズ群Ｌ１は４つの正レンズと１つの固体材料からなるＮＬＦ光学素子ＮＬＦと１つの負レンズで構成されている。これらの中には２つの接合レンズが含まれている。物体側の正レンズ同士の接合レンズは回折光学素子ＤＯＥを構成している。回折光学素子ＤＯＥを構成する回折光学部Ｄは、この接合レンズの接合レンズ面に配置されている。また像側の、負レンズと正レンズからなる接合レンズの接合レンズ面には固体材料からなるＮＬＦ光学素子ＮＬＦが配置されている。
【０１２５】
条件式(４)に対応するメニスカスレンズは物体側から数えて３番目の正レンズが対応している。第１レンズ群Ｌ１の単レンズ（物体側から３番目の正レンズ）の物体側のレンズ面は非球面形状である。第２レンズ群Ｌ２は正レンズと負レンズの接合レンズから構成されている。
【０１２６】
第３レンズ群Ｌ３を構成する、第３１レンズ群Ｌ３１は、負レンズと正レンズを接合した接合レンズから構成されている。第３２レンズ群Ｌ３２は、防振機能を有し正レンズと負レンズを接合した１組の接合レンズと、１つの負レンズから構成されている。第３３レンズ群Ｌ３３は、１つの正レンズと、１つの負レンズと、２組の接合レンズから構成されている。
【０１２７】
この２組の接合レンズのうち最も像側の接合レンズの接合レンズ面には固体材料からなるＮＬＲ光学素子ＮＬＲが配置されている。また、第３３レンズ群Ｌ３３の正レンズの物体側のレンズ面と、負レンズの物体側のレンズ面と、２組の接合レンズのうち像側の接合レンズの最も像側のレンズ面は非球面形状である。尚、無限遠物体から近距離物体へのフォーカシングは第２レンズ群Ｌ２を像面側へ移動させることで行なっている。
【０１２８】
［実施例７］
図７（Ａ）の実施例７の撮影光学系Ｌ０のレンズ構成について説明する。第１レンズ群Ｌ１は４つの正レンズと１つの固体材料からなるＮＬＦ光学素子ＮＬＦと１つの負レンズで構成されている。これらの中には２つの接合レンズが含まれている。物体側の正レンズ同士の接合レンズの接合レンズ面には固体材料からなるＮＬＦ光学素子ＮＬＦが配置されている。また像側の、負レンズと正レンズからなる接合レンズは回折光学素子ＤＯＥを構成している。回折光学素子ＤＯＥを構成する回折光学部Ｄは、この接合レンズの接合レンズ面に配置されている。
【０１２９】
条件式(４)に対応するメニスカスレンズは物体側から数えて３番目の正レンズが対応している。第１レンズ群Ｌ１の接合レンズ、単レンズともに、物体側の空気に接するレンズ面は非球面形状である。第２レンズ群Ｌ２は正レンズと負レンズの接合レンズから構成されている。
【０１３０】
第３レンズ群Ｌ３を構成する第３１レンズ群Ｌ３１は、正レンズと負レンズを接合した２組の接合レンズから構成されている。第３２レンズ群Ｌ３２は、防振機能を有し、正レンズと負レンズを接合した１組の接合レンズと、１つの負レンズから構成されている。第３３レンズ群Ｌ３３は、１つの正レンズと、２組の接合レンズから構成されている。第３３レンズ群Ｌ３３の最も物体側の正レンズの物体側のレンズ面と、２組の接合レンズのうち最も物体側の接合レンズの最も像側のレンズ面は非球面形状である。本実施例はＮＬＲ光学素子ＮＬＲを有していない。
【０１３１】
尚、無限遠物体から近距離物体へのフォーカシングは第２レンズ群Ｌ２を像面側へ移動させることで行なっている。
【０１３２】
［実施例８］
図８（Ａ）の実施例８の撮影光学系Ｌ０のレンズ構成について説明する。第１レンズ群Ｌ１は３つの正レンズと１つの固体材料からなるＮＬＦ光学素子ＮＬＦと１つの負レンズで構成されている。これらの中には１つの接合レンズが含まれている。接合レンズは回折光学素子ＤＯＥを構成している。回折光学素子ＤＯＥを構成する回折光学部Ｄは、接合レンズの接合レンズ面に配置されている。更に接合レンズの接合レンズ面には固体材料からなるＮＬＦ光学素子ＮＬＦが配置されている。
【０１３３】
条件式(４)に対応するメニスカスレンズは物体側から数えて２番目の正レンズである。第１レンズ群Ｌ１の接合レンズ、単レンズともに、物体側の空気に接するレンズ面は非球面形状である。第２レンズ群Ｌ２は正レンズと負レンズを接合した２組の接合レンズから構成されている。そして２組の接合レンズのうち、像側の接合レンズの最も物体側のレンズ面は非球面形状である。
【０１３４】
第３レンズ群Ｌ３を構成する第３１レンズ群Ｌ３１は、負レンズと正レンズを接合した接合レンズから構成されている。第３２レンズ群Ｌ３２は、防振機能を有し、正レンズと負レンズを接合した１組の接合レンズと、１つの負レンズから構成されている。第３３レンズ群Ｌ３３は、１つの正レンズと、２組の接合レンズから構成されている。この２組の接合レンズのうち最も像側の接合レンズの接合レンズ面には固体材料からなるＮＬＲ光学素子ＮＬＲが配置されている。また、第３３レンズ群Ｌ３３の最も物体側の正レンズの物体側のレンズ面は非球面形状である。
【０１３５】
尚、無限遠物体から近距離物体へのフォーカシングは第３レンズ群Ｌ３を像面側へ移動させることで行なっている。
【０１３６】
以下に本発明の実施例１乃至８に対応する数値実施例１乃至８を示す。各数値実施例において、ｉは物体側からの面の順序を示し、ｒiは物体側より第ｉ番目の面の曲率半径、ｄiは物体側より第ｉ番目と第ｉ＋１番目の間隔、ｎdiとνdiは第ｉ番目の光学部材の屈折率とアッベ数である。θｇＦｉ、ΔθｇＦｉは第ｉ番目の光学部材の部分分散比と部分分散比差である。焦点距離ｆ、ＦナンバーＦｎｏ、画角２ω（度）はそれぞれ無限遠物体に焦点を合わせたときの値である。ＢＦはバックフォーカスであり、最終面（ガラスブロックの像側の面）から像面までの距離である。
【０１３７】
各数値実施例において最も像側の２つの面はフィルター等のガラスブロックである。回折光学素子（回折面）は前述（ａ）式の位相関数の位相係数を与えることで表している。非球面形状は光軸方向にＸ軸、光軸と垂直方向にＨ軸、光の進行方向を正、Ｒを近軸曲率半径、ｋを離心率、A4、A6、A8、A10、A12を各々非球面係数としたとき、
【０１３８】
【数６】
0005885518.tif 000007
なる式で表している。また例えば「ｅ−Ｚ」の表示は「１０-Z」を意味する。
【０１３９】
（数値実施例１）
f= 585.00mm  Fno= 4.12  ２ω= 4.24
面番号       r        d      nd       νd   有効径   θgF     ΔθgF
1(非球面)140.065   26.27   1.51633  64.1  141.99   0.53416  -0.00353
2       -692.796    0.10                  140.40
3(非球面) 93.243   13.86   1.80518  25.4  123.43   0.61655   0.01623
4        128.946   19.22                  118.60
5(非球面)184.480    4.20   1.76182  26.5  104.04   0.61330   0.01473
6         51.430    1.80   1.63555  22.7   85.91   0.68947   0.08477 NLF
7(回折)   53.514   27.39   1.43875  94.9   85.78   0.53463   0.04681
8      -2753.616   19.24                   82.41
9        553.740    5.00   1.80809  22.8   63.26
10       -255.073    4.00   1.74950  35.3   62.07
11         73.100   51.28                   55.58
12(絞り)    ∞      10.00                   37.71
13        285.701    2.00   1.75520  27.5   33.61
14         56.991    5.52   1.62588  35.7   32.56
15       -114.175    5.00                   32.06
16        135.793    5.00   1.51742  52.4   27.88
17        -78.425    2.00   1.88300  40.8   26.40
18        270.207    4.00                   25.37
19       41301.568   2.81   1.84666  23.8   24.72
20       -101.906    1.70   1.77250  49.6   24.66
21         60.040    2.47                   24.51
22       -710.645    2.50   1.77250  49.6   24.79
23         73.646    5.91                   25.38
24(非球面) 40.719    4.45   1.52249  59.8   29.98   0.54348 -0.00127
25        152.850    9.51                   30.06
26         90.268   10.90   1.65412  39.7   31.67   0.57403 -0.00322
27        -22.137    2.50   1.88300  40.8   31.54   0.56694 -0.00857
28(非球面)448.097    4.81                   33.39
29      -1102.426    2.00   1.63854  55.4   35.34   0.54900 -0.00286
30        117.543    0.10   1.70877  21.6   36.33   0.81721  0.21074 NLR
31         65.222    7.45   1.76182  26.5   36.67   0.61330  0.01473
32        -91.649   15.00                   37.33
33          ∞       2.00   1.51633  64.1   38.80
34          ∞                              38.92
【０１４０】
ただし、ここで示すΔθgFの値は以下の定義によるものである。
ΔθgF=θgF-(-1.61783×10-3×νd+0.64146)
非球面データ
第1面
K =-2.67344e-001  A 4=-2.99075e-008  A 6=-3.07516e-012  A 8=-1.95984e-016 
A10= 1.38616e-020 
第3面
K = 6.33596e-002  A 4= 7.05206e-009  A 6= 2.03582e-012  A 8= 6.14289e-016 
A10=-4.02103e-020  A12= 2.62608e-023
第5面
K =-5.28501e-001  A 4=-6.08638e-009  A 6= 5.77225e-012  A 8= 5.99011e-016 
A10=-4.68523e-019  A12= 7.19425e-023
第24面
K = 2.40326e+000  A 4=-2.37222e-006  A 6=-3.78783e-009  A 8= 1.34349e-011 
A10=-5.78041e-014  A12= 4.20953e-017
第28面
K =-3.00129e+002  A 4= 1.20966e-007  A 6=-1.36320e-010  A 8= 1.91412e-012 
A10=-3.99213e-015  A12= 4.00069e-018
第7面(回折面)
C 2=-3.28989e-005  C 4=-1.35044e-009  C 6=-7.63717e-013  C 8=-5.29402e-018
各種データ
ズーム比     1.00
焦点距離     585.00 
Fナンバー      4.12
半画角（度）   2.12 
像高          21.64 
レンズ全長   330.00 
BF            50.00 
入射瞳位置   722.76 
射出瞳位置  -108.14 
前側主点位置-856.26 
後側主点位置-535.00 
レンズ群データ
群   始面  焦点距離  レンズ構成長  前側主点位置  後側主点位置
L1     1    163.18        92.85       -11.95        -72.97
L2     9   -117.87         9.00         6.03          0.93
L3    12   -278.56       107.63       -11.29       -119.91
L31   12    470.61        29.52       -10.99        -33.11
L32   19    -41.29         9.48         4.31         -1.97
L33   24     78.44        58.72        10.76        -40.76
単レンズデータ
レンズ  始面  焦点距離
1       1    228.10
2       3    356.51
3       5    -94.90
4       6   1556.08
5       7    120.00
6       9    216.70
7      10    -75.41
8      13    -94.63
9      14     61.50
10      16     96.85
11      17    -68.65
12      19    120.07
13      20    -48.68
14      22    -86.26
15      24    104.80
16      26     28.26
17      27    -23.83
18      29   -166.24
19      30   -206.89
20      31     51.07
G      33      0.00
【０１４１】
（数値実施例2）
f= 585.00mm  Fno= 4.12  ２ω= 4.24
面番号       r        d      nd       νd   有効径   θgF     ΔθgF
1(非球面)128.740   17.72   1.51633  64.1   141.99  0.53416  -0.00353
2(回折)  500.000   11.30   1.51633  64.1   140.86  0.53416  -0.00353
3       -703.077    0.10                   139.85
4(非球面) 88.842   12.51   1.80518  25.4   121.02  0.61655   0.01623
5        114.831   17.85                   116.35
6(非球面)175.022    4.20   1.75520  27.5   104.42  0.61020   0.01325
7         50.186    1.80   1.63555  22.7    85.50  0.68947   0.08477 NLF
8         52.015   26.86   1.43875  94.9    85.35  0.53463   0.04681
9      -6780.397   19.34                    82.60
10        463.835    5.00   1.80809  22.8    63.18
11       -238.497    4.00   1.74950  35.3    62.13
12         74.292   51.49                    55.44
13(絞り)    ∞      10.00                    35.53
14        270.367    2.00   1.88300  40.8    31.02
15         48.621    5.34   1.57501  41.5    29.92
16       -101.941    5.00                    29.52
17         74.246    5.00   1.64769  33.8    25.75
18        -57.511    2.00   1.84666  23.8    24.59
19        112.964    4.00                    23.22
20       -639.774    2.81   1.84666  23.8    23.09
21        -82.065    1.70   1.77250  49.6    23.11
22         55.119    2.67                    23.12
23       -257.505    2.50   1.77250  49.6    23.53
24         94.925    5.00                    24.36
25(非球面) 53.684   11.03   1.60342  38.0    28.40  0.58349  0.00354
26        -50.683    0.10                    29.45
27        -77.525    6.66   1.62588  35.7    29.34  0.58894  0.00521
28        -23.564    2.50   1.77250  49.6    29.55  0.55234 -0.00885
29(非球面)133.878    7.91                    31.24
30        120.078   12.00   1.69895  30.1    35.95  0.60302  0.01030
31        -25.975    0.10   1.63555  22.7    36.55  0.68947  0.08477 NLR
32        -31.308    2.50   1.80518  25.4    36.76  0.61655  0.01623
33        -85.325   15.00                    38.29
34          ∞       2.00   1.51633  64.1    39.54
35          ∞                               39.64
【０１４２】
ただし、ここで示すΔθgFの値は以下の定義によるものである。
ΔθgF=θgF-(-1.61783×10-3×νd+0.64146)
非球面データ
第1面
K =-2.72588e-001  A 4=-2.96581e-008  A 6=-3.45376e-012  A 8=-2.32349e-016 
A10= 9.83112e-021 
第4面
K = 6.19571e-002  A 4= 6.16081e-009  A 6= 2.06029e-012  A 8= 6.25629e-016 
A10=-4.58119e-020  A12= 2.90121e-023
第6面
K =-6.57252e-001  A 4=-8.65167e-009  A 6= 7.75995e-012  A 8= 1.07239e-015 
A10=-3.81758e-019  A12= 5.48647e-023
第25面
K = 3.51724e+000  A 4=-2.47126e-006  A 6=-2.04889e-011  A 8= 3.02961e-012 
A10=-8.44682e-015  A12=-6.61057e-018
第29面
K =-1.01443e+001  A 4= 1.37866e-007  A 6= 1.79670e-009  A 8=-9.29104e-013 
A10= 1.04887e-014  A12=-1.25453e-017
第2面(回折面)
C 2=-1.70072e-005  C 4= 6.09183e-010  C 6=-4.23164e-014  C 8= 5.79225e-018
C10=-1.26502e-022 
各種データ
ズーム比     1.00
焦点距離     585.00 
Fナンバー      4.12
半画角（度）   2.12 
像高          21.64 
レンズ全長   330.00 
BF            50.00 
入射瞳位置   754.68 
射出瞳位置  -121.10 
前側主点位置-660.51 
後側主点位置-535.00 
レンズ群データ
群   始面  焦点距離  レンズ構成長  前側主点位置  後側主点位置
L1     1     162.06        92.33       -12.24        -72.30
L2    10    -124.88         9.00         6.28          1.17
L3    13    -305.08       107.84       -49.79       -180.59
L31   13    1168.11        29.34       -36.68        -57.52
L32   20     -38.07         9.69         3.95         -2.51
L33   25      71.46        59.81        14.73        -35.30
単レンズデータ
レンズ  始面  焦点距離
1       1    330.43
2       2    567.73
3       4    401.38
4       6    -94.54
5       7   1624.48
6       8    117.79
7      10    195.54
8      11    -75.17
9      14    -67.42
10      15     58.00
11      17     50.79
12      18    -44.77
13      20    110.93
14      21    -42.45
15      23    -89.51
16      25     44.99
17      27     51.64
18      28    -25.76
19      30     31.62
20      31   -241.66
21      32    -62.72
G      34      0.00
【０１４３】
（数値実施例3）
f=585.01 mm  Fno= 4.12  ２ω=4.24
面番号       r        d      nd       νd   有効径   θgF     ΔθgF
1(非球面)117.574   19.70   1.51633  64.1   141.99  0.53416 -0.00353
2        319.657    0.34   1.78927  17.6   139.77  0.79406  0.18112 NLF
3        327.008   14.51   1.51633  64.1   139.70  0.53416 -0.00353
4      -1151.028    0.10                   137.72
5(非球面)102.251   11.28   1.75520  27.5   121.78  0.61020  0.01325
6        129.217   23.10                   116.72
7(非球面)162.202    4.20   1.80000  29.8    99.01  0.60187  0.00870
8(回折)   55.730   28.21   1.43875  94.9    85.03  0.53463  0.04681
9       -862.298   19.32                    80.68
10        390.086    5.00   1.80809  22.8    60.83
11       -303.624    4.00   1.74950  35.3    59.52
12         67.631   51.47                    53.15
13(絞り)    ∞      10.00                    35.02
14        395.613    4.65   1.54072  47.2    30.97
15        -50.765    2.00   1.88300  40.8    30.40
16        -82.186    5.00                    30.08
17         74.585    5.00   1.48749  70.2    25.79
18       -251.279    2.00   1.88300  40.8    24.81
19         94.273    4.00                    24.37
20       2574.482    2.81   1.84666  23.8    24.27
21        -96.759    1.70   1.77250  49.6    24.22
22         49.677    2.67                    24.09
23       -388.495    2.50   1.77250  49.6    24.43
24         78.728    5.00                    25.23
25(非球面) 57.184    5.50   1.48749 70.2     29.21  0.53026  0.00244
26        -66.623    0.10                    29.71
27        619.872    8.27   1.65412  39.7    30.01  0.57403 -0.00322
28        -23.667    2.50   1.80440  39.6    30.21  0.57283 -0.00458
29(非球面)194.974    5.54                    31.89
30        321.884    9.95   1.72825  28.5    34.32  0.60766  0.01224
31        -25.614    0.10   1.78927  17.6    34.86  0.79406  0.18112 NLR
32        -30.109    2.50   1.72916  54.7    35.18  0.54423 -0.00880
33        -97.611   15.00                    36.58
34          ∞       2.00   1.51633  64.1    38.22
35          ∞                               38.35
【０１４４】
ただし、ここで示すΔθgFの値は以下の定義によるものである。
ΔθgF=θgF-(-1.61783×10-3×νd+0.64146)
非球面データ
第1面
K =-2.41497e-001  A 4=-2.62052e-008  A 6=-3.00481e-012  A 8=-3.22164e-016 
A10= 1.57989e-021 
第5面
K = 4.65762e-002  A 4=-2.61332e-009  A 6= 3.19356e-013  A 8= 5.53183e-016 
A10=-3.65126e-020  A12= 1.26283e-023
第7面
K =-7.16100e-001  A 4=-8.00366e-009  A 6= 5.78518e-012  A 8= 1.60502e-015 
A10=-3.00367e-019  A12= 2.96230e-023
第25面
K = 5.93556e+000  A 4=-6.70976e-006  A 6= 2.43261e-009  A 8=-1.74055e-011 
A10= 6.71462e-014  A12=-1.75986e-016
第29面
K =-9.91413e+001  A 4=-1.57799e-006  A 6= 8.12592e-010  A 8=-3.70759e-012 
A10= 2.26035e-014  A12=-3.53132e-017
第8面(回折面)
C 2=-3.78006e-005  C 4=-2.47639e-009  C 6=-1.79197e-012  C 8= 3.61334e-016
各種データ
ズーム比     1.00
焦点距離     585.01 
Fナンバー      4.12
半画角（度）   2.12 
像高          21.64 
レンズ全長   330.00 
BF            50.00 
入射瞳位置   809.38 
射出瞳位置   -97.06 
前側主点位置-932.84 
後側主点位置-535.01 
レンズ群データ
群  始面    焦点距離  レンズ構成長  前側主点位置  後側主点位置
L1    1     165.01       101.42        -5.59        -76.59
L2   10    -114.97         9.00         6.37          1.25
L3   13    -257.25        98.79        -9.67       -107.10
L31  13     603.62        28.65       -25.56        -45.91
L32  20     -37.18         9.69         4.24         -2.24
L33  25      68.08        51.46         9.37        -32.64
単レンズデータ
レンズ  始面  焦点距離
1       1    348.62
2       2  17659.59
3       3    494.86
4       5    549.85
5       7   -108.02
6       8    120.44
7      10    211.96
8      11    -73.46
9      14     83.51
10      15   -155.00
11      17    118.58
12      18    -77.43
13      20    110.20
14      21    -42.28
15      23    -84.54
16      25     64.06
17      27     35.03
18      28    -26.10
19      30     32.98
20      31   -219.53
21      32    -60.66
G      34      0.00
【０１４５】
（数値実施例4）
f= 779.00mm  Fno= 5.80  ２ω=3.18
面番号       r        d      nd       νd   有効径   θgF     ΔθgF
1(非球面)150.484   17.46   1.48749  70.2   134.31   0.53026  0.00244
2       1417.702    0.10                   133.22
3(非球面)187.298    9.09   1.70154  41.2   129.15   0.57672  0.00198
4        446.327   24.88                   128.03
5(非球面)457.099    5.50   1.72047  34.7   110.71   0.58361 -0.00167
6(回折)   90.746    0.38   1.70877  21.6   101.60   0.81721  0.21074 NLF
7         92.023   20.28   1.43875  94.9   101.55   0.53463  0.04681
8       -854.409  106.11                   100.25
9      -4722.398    4.03   1.75520  27.5    36.00
10        -76.640    2.00   1.72342  38.0    35.35
11         81.266   32.59                    33.36
12(絞り)    ∞       2.50                    24.47
13        135.033    1.88   1.88300  40.8    23.60
14         33.932    4.28   1.61772  49.8    22.81
15        -95.373    2.00                    22.55
16        116.206    2.80   1.80809  22.8    21.24
17        -96.722    1.94   1.83481  42.7    20.70
18         47.554    3.00                    19.63
19       -140.177    1.90   1.74100  52.6    19.30
20         78.442    1.76                    19.13
21(非球面) 32.856    3.58   1.48749  70.2    19.35   0.53026   0.00244
22         75.156   12.24                    18.96
23         75.603    9.52   1.64769  33.8    22.47   0.59447   0.00769
24        -19.196    2.00   1.88300  40.8    22.71   0.56694  -0.00857
25        -79.883    5.00                    23.77
26        -35.328    2.00   1.80809  22.8    24.32   0.63070   0.02607
27       -187.997    5.00                    25.82
28        930.917    2.80   1.48749  70.2    29.34   0.53026   0.00244
29      -2064.439    0.10   1.70877  21.6    30.40   0.81721   0.21074 NLR
30        200.441    8.84   1.69895  30.1    30.66   0.60302   0.01030
31        -48.474    6.42                    32.58
32          ∞       2.20   1.51633  64.1    33.60
33          ∞                               33.76
【０１４６】
ただし、ここで示すΔθgFの値は以下の定義によるものである。
ΔθgF=θgF-(-1.61783×10-3×νd+0.64146)
非球面データ
第1面
K =-2.16884e-001  A 4=-8.30550e-009  A 6=-5.37949e-013  A 8=-3.31934e-017 
A10=-9.09014e-021  A12=-1.87542e-024
第3面
K = 1.14426e-001  A 4= 3.69915e-009  A 6= 2.30180e-013  A 8= 5.59767e-017 
A10= 9.88507e-021  A12= 3.31149e-024
第5面
K =-1.79816e+001  A 4=-3.47271e-010  A 6=-2.79085e-013  A 8= 1.92835e-016 
A10=-1.10504e-019  A12= 9.93140e-024
第21面
K = 1.09186e+000  A 4= 7.26284e-007  A 6= 2.35034e-009  A 8= 4.31822e-012 
A10= 2.52710e-014  A12=-1.67867e-017
第6面(回折面)
C 2=-1.90119e-005  C 4=-9.07462e-011  C 6=-4.25190e-013  C 8= 4.27203e-016
C10=-1.65366e-019  C12= 2.05095e-023
各種データ
ズーム比     1.00
焦点距離     779.00 
Fナンバー      5.80
半画角（度）   1.59 
像高          21.64 
レンズ全長   390.00 
BF            85.83 
入射瞳位置   1421.29
射出瞳位置   -100.48
前側主点位置-1056.95
後側主点位置 -693.17
レンズ群データ
群  始面    焦点距離  レンズ構成長  前側主点位置  後側主点位置
L1    1     230.95        77.69        -5.88        -63.80
L2    9    -115.64         6.03         3.45         -0.01
L3   12    -527.12        81.74      -133.57       -279.38
L31  12     191.28         8.66         5.55         -0.63
L32  16     -38.97         9.64         5.53         -1.22
L33  21      83.74        59.69        23.05        -36.56
単レンズデータ
レンズ  始面  焦点距離
1       1    343.80
2       3    453.47
3       5   -158.15
4       6   8216.92
5       7    190.59
6       9    103.12
7      10    -54.23
8      13    -51.78
9      14     41.03
10      16     65.71
11      17    -37.96
12      19    -67.63
13      21    116.51
14      23     24.61
15      24    -29.07
16      26    -54.15
17      28   1316.53
18      29   -257.77
19      30     56.67
G      32      0.00
【０１４７】
（数値実施例5）
f= mm  Fno=5.80   ２ω=3.18
面番号       r        d      nd       νd   有効径   θgF     ΔθgF
1(非球面)131.979   13.45   1.48749  70.2  134.32   0.53026  0.00244
2        328.720    1.54   1.69591  17.7  133.43   0.68555  0.07268 NLF
3        415.066    4.72   1.48749  70.2  133.40   0.53026  0.00244
4        670.392    0.10                  132.47
5(非球面)204.497    9.76   1.66672  48.3  129.29   0.56014 -0.00316
6        587.159   22.52                  127.84
7(非球面)405.597    5.50   1.73800  32.3  110.70   0.59029  0.00104
8(回折)   88.918   20.14   1.43875  94.9  101.28   0.53463  0.04681
9       -567.163  105.25                  100.50
10       -435.806    3.99   1.75520  27.5   31.90
11        -47.046    2.00   1.72342  38.0   31.40
12         58.411   32.06                   29.18
13(絞り)    ∞       2.50                   22.71
14         91.338    1.88   1.88300  40.8   22.03
15         34.565    4.01   1.51742  52.4   21.37
16        -70.386    2.00                   21.17
17        150.917    2.39   1.80809  22.8   24.68
18       -111.656    1.94   1.83481  42.7   24.35
19         47.532    2.12                   23.27
20       -144.481    1.90   1.74100  52.6   23.26
21         97.096    1.76                   23.35
22(非球面) 32.082    3.04   1.48749  70.2   19.99   0.53026  0.00244
23         76.925   10.93                   20.20
24         83.691    9.81   1.63980  34.5   23.34   0.59213   0.00644
25        -17.727    2.00   1.88300  40.8   23.61   0.56694  -0.00857
26        -90.189    5.00                   25.13
27        -32.914    2.00   1.80809  22.8   25.96   0.63070   0.02607
28        -60.545    5.00                   27.56
29       -273.560    2.00   1.48749  70.2   31.01   0.53026   0.00244
30       -429.316    0.10   1.69591  17.7   31.89   0.68555   0.07268 NLR
31        115.930    9.02   1.74000  28.3   32.45   0.60742   0.01172
32        -50.777    6.42                   34.17
33          ∞       2.20   1.51633  64.1   35.00
34          ∞                              35.13
【０１４８】
ただし、ここで示すΔθgFの値は以下の定義によるものである。
ΔθgF=θgF-(-1.61783×10-3×νd+0.64146)
非球面データ
第1面
K =-1.83034e-001  A 4=-1.08632e-008  A 6=-9.98581e-013  A 8=-7.10141e-017 
A10=-3.01780e-021  A12=-5.37565e-024  A14= 5.56342e-029 
第5面
K =-1.90062e-001  A 4= 1.60544e-010  A 6= 5.45450e-013  A 8=-2.16694e-018 
A10= 1.86708e-020  A12= 4.47511e-024  A14=-2.83754e-029 
第7面
K =-1.68339e+001  A 4= 7.91371e-009  A 6=-9.00747e-013  A 8= 1.64387e-016
A10=-3.16993e-020  A12= 3.44828e-024  A14=-8.48929e-028 
第22面
K = 9.80810e-001  A 4= 2.46751e-006  A 6= 1.06161e-008  A 8=-7.35318e-011 
A10= 6.76391e-013  A12=-1.63553e-015
第8面(回折面)
C 2=-1.64441e-005  C 4=-1.44139e-010  C 6= 1.20065e-014  C 8= 8.74221e-017
C10=-1.96810e-020 
各種データ
ズーム比     1.00
焦点距離     779.04
Fナンバー      5.80
半画角（度）   1.59
像高          21.64
レンズ全長   389.95
BF            90.92
入射瞳位置   1658.05
射出瞳位置   -102.29
前側主点位置 -704.08
後側主点位置 -688.12
レンズ群データ
群  始面    焦点距離  レンズ構成長  前側主点位置  後側主点位置
L1    1     216.78        77.72        -2.92        -60.90
L2   10     -74.05         5.99         3.04         -0.38
L3   13     922.69        78.00       305.00        353.31
L31  13     154.12         8.38         5.03         -1.16
L32  17     -39.52         8.35         4.33         -1.28
L33  22      76.00        57.51        23.54        -33.22
単レンズデータ
レンズ  始面  焦点距離
1       1    442.44
2       2   2254.16
3       3   2222.10
4       5    465.88
5       7   -155.46
6       8    176.85
7      10     69.53
8      11    -35.74
9      14    -63.97
10      15     45.39
11      17     79.74
12      18    -39.72
13      20    -78.11
14      22    110.44
15      24     23.76
16      25    -25.32
17      27    -92.23
18      29  -1553.28
19      30   -131.16
20      31     48.84
G      33      0.00
【０１４９】
（数値実施例6）
f= 779.00mm  Fno= 5.80  ２ω=3.18
面番号       r        d      nd       νd   有効径   θgF     ΔθgF
1        139.205   15.19   1.48749  70.2  134.31   0.53026  0.00244
2(回折)  473.490    4.99   1.48749  70.2  133.39   0.53026  0.00244
3        972.819    0.10                  132.50
4(非球面)200.987    6.28   1.67270  32.1  128.79   0.59905  0.00953
5        344.389   22.63                  127.72
6        179.959    5.50   1.73800  32.3  111.64   0.59029  0.00104
7         76.314    1.80   1.55324  39.8  101.46   0.66403  0.08696 NLF
8         81.509   20.20   1.43875  94.9  101.37   0.53463  0.04681
9       1235.977  103.73                   99.78
10      -2222.576    4.13   1.75520  27.5   36.00
11        -72.042    2.00   1.72342  38.0   35.33
12         79.505   31.65                   33.23
13(絞り)    ∞       2.50                   24.31
14         88.185    1.88   1.88300  40.8   23.33
15         29.408    4.81   1.51742  52.4   22.39
16        -77.673    2.00                   22.11
17        168.131    2.80   1.80809  22.8   20.86
18        -73.571    1.94   1.83481  42.7   20.37
19         46.593    2.54                   19.39
20       -190.809    1.90   1.74100  52.6   19.22
21         90.853    1.76                   19.13
22(非球面) 32.678    3.58   1.51823 58.9    19.40   0.54608 -0.00001
23         55.871    7.68                   19.30
24         56.402   10.11   1.64769  33.8   21.71   0.59447  0.00769
25        -17.102    2.00   1.88300  40.8   21.84   0.56694 -0.00857
26        -53.983    5.00                   22.89
27(非球面)-30.455    2.00   1.80809 22.8    23.03   0.63070  0.02607
28        315.476    5.00                   24.79
29       1127.290    6.50   1.63980  34.5   28.76   0.59213  0.00644
30        -46.633    0.10   1.55324  39.8   30.53   0.66403  0.08696 NLR
31        -94.836    6.44   1.63980  34.5   31.16   0.59213  0.00644
32(非球面)-37.216    6.42                   32.86
33          ∞       2.20   1.51633  64.1   33.89
34          ∞                              34.03
【０１５０】
ただし、ここで示すΔθgFの値は以下の定義によるものである。
ΔθgF=θgF-(-1.61783×10-3×νd+0.64146)
非球面データ
第4面
K =-5.64293e-001  A 4=-9.91818e-009  A 6=-5.58202e-013  A 8=-1.63077e-017 
A10= 3.94688e-021  A12=-5.24722e-025
第22面
K = 1.22852e+000  A 4= 3.42832e-006  A 6= 1.29147e-008  A 8=-3.96000e-012 
A10= 1.98086e-013  A12=-6.44845e-017
第27面
K = 1.32604e-001  A 4=-9.68621e-007  A 6=-5.47105e-010  A 8=-6.49025e-012 
A10=-2.52564e-015 
第32面
K = 3.81075e-001  A 4= 2.05748e-007  A 6= 7.66606e-010  A 8=-4.76054e-013 
A10= 1.17150e-015 
第2面(回折面)
C 2=-1.32140e-005  C 4= 3.58697e-010  C 6=-6.24068e-014  C 8= 1.49334e-017
C10=-1.28240e-021 
各種データ
ズーム比     1.00
焦点距離     779.00 
Fナンバー      5.80
半画角（度）   1.59 
像高          21.64 
レンズ全長   390.00 
BF            92.65 
入射瞳位置   1390.95
射出瞳位置   -102.40
前側主点位置 -941.23
後側主点位置 -686.35
レンズ群データ
群  始面    焦点距離  レンズ構成長  前側主点位置  後側主点位置
L1    1     222.42        76.69        -3.46        -59.99
L2   10    -111.07         6.13         3.43         -0.08
L3   13    -567.69        79.16      -166.70       -338.39
L31  13     229.92         9.18         6.09         -0.63
L32  17     -38.90         9.18         4.67         -1.57
L33  22      81.99        57.04        24.49        -32.02
単レンズデータ
レンズ  始面  焦点距離
1       1    398.53
2       2   1886.13
3       4    705.11
4       6   -183.68
5       7   1926.51
6       8    197.83
7      10     98.51
8      11    -51.96
9      14    -50.73
10      15     41.87
11      17     63.66
12      18    -33.92
13      20    -82.82
14      22    144.29
15      24     21.42
16      25    -29.09
17      27    -34.28
18      29     70.14
19      30   -165.96
20      31     91.74
G      33      0.00
【０１５１】
（数値実施例7）
f= 585.00mm  Fno= 4.12  ２ω=4.24
面番号       r        d      nd       νd   有効径   θgF     ΔθgF
1(非球面)125.329   10.31   1.51633  64.1   141.99  0.53416  -0.00353
2        213.016    1.80   1.63555  22.7   141.20  0.68947   0.08477 NLF
3        242.710   14.08   1.51633  64.1   141.11  0.53416  -0.00353
4      -1911.918    0.10                   140.26
5(非球面)105.549   12.68   1.80518  25.4   126.26  0.61655   0.01623
6        158.228   20.89                   122.60
7(非球面)221.218    4.20   1.76182  26.5   105.09  0.61330   0.01473
8(回折)   55.160   29.19   1.43875  94.9    88.11  0.53463   0.04681
9       -484.404   19.44                    85.11
10        352.083    5.00   1.80809  22.8    63.40
11       -448.754    4.00   1.74950  35.3    61.94
12         68.640   52.04                    55.30
13(絞り)    ∞      10.00                    35.96
14        199.540    2.00   1.74950  35.3    31.52
15         89.154    4.13   1.51742  52.4    30.69
16       -127.966    5.00                    30.12
17         79.382    5.00   1.56732  42.8    25.93
18        -78.937    2.00   1.88300  40.8    24.43
19        106.020    4.00                    23.16
20       -677.279    2.81   1.84666  23.8    22.99
21        -80.136    1.70   1.77250  49.6    23.01
22         54.318    2.59                    23.01
23       -312.276    2.50   1.77250  49.6    23.41
24         89.405    5.00                    24.21
25(非球面) 49.266    7.53   1.51742  52.4    28.46   0.55623  -0.00042
26        327.971    0.10                    29.10
27         65.739   12.00   1.65412  39.7    29.42   0.57403  -0.00322
28        -18.635    2.50   1.80400  46.6    29.25   0.55736  -0.00874
29(非球面) 64.125    6.34                    31.06
30        101.218   12.00   1.69895  30.1    35.45   0.60302   0.01030
31        -25.758    2.50   1.80809  22.8    36.18   0.63070   0.02607
32        -59.627    7.45                    38.46
33          ∞       2.00   1.51633  64.1    39.21
34          ∞                               39.30
【０１５２】
ただし、ここで示すΔθgFの値は以下の定義によるものである。
ΔθgF=θgF-(-1.61783×10-3×νd+0.64146)
非球面データ
第1面
K =-2.26889e-001  A 4=-2.23279e-008  A 6=-3.67273e-012  A 8=-6.22189e-016
A10= 1.96958e-020
第5面
K = 4.68384e-002  A 4=-1.92346e-009  A 6= 1.44792e-012  A 8= 8.14389e-016
A10=-1.32355e-020  A12= 2.53007e-023 
第7面
K =-3.61869e-001  A 4=-1.64758e-009  A 6= 6.58165e-012  A 8= 7.84153e-016
A10=-8.06872e-019  A12= 1.10181e-022 
第25面
K = 5.71323e+000  A 4=-3.26073e-006  A 6= 8.23054e-010  A 8=-5.26344e-012
A10= 7.83965e-015  A12=-2.96476e-017 
第29面
K =-6.15197e+000  A 4= 1.12736e-006  A 6=-3.77448e-010  A 8= 2.61322e-012
A10=-6.72831e-015  A12= 1.20238e-017 
第8面(回折面)
C 2=-4.03619e-005  C 4= 3.81145e-009  C 6= 1.04977e-013  C 8=-3.09944e-016
各種データ
ズーム比     1.00
焦点距離     585.00 
Fナンバー      4.12
半画角（度）   2.12 
像高          21.64 
レンズ全長   330.00 
BF            57.12 
入射瞳位置   755.51 
射出瞳位置  -114.38 
前側主点位置-654.98 
後側主点位置-527.88 
レンズ群データ
群  始面    焦点距離  レンズ構成長  前側主点位置  後側主点位置
L1    1     160.77        93.25        -5.55        -71.18
L2   10    -119.55         9.00         6.55          1.42
L3   13    -328.57        99.15       -50.33       -173.81
L31  13    1391.73        28.13       -98.42       -112.45
L32  20     -37.96         9.61         3.95         -2.44
L33  25      71.09        52.41        15.26        -28.15
単レンズデータ
レンズ  始面  焦点距離
1       1    566.96
2       2   2676.58
3       3    418.05
4       5    355.57
5       7    -97.52
6       8    114.76
7      10    244.83
8      11    -79.17
9      14   -216.70
10      15    102.22
11      17     70.57
12      18    -50.98
13      20    107.12
14      21    -41.68
15      23    -89.73
16      25    111.02
17      27     23.52
18      28    -17.72
19      30     30.57
20      31    -58.03
G      33      0.00
【０１５３】
（数値実施例8）
f= 585.02mm  Fno= 4.12  ２ω=4.24
面番号       r        d      nd       νd   有効径   θgF      ΔθgF
1(非球面)129.326   24.94   1.51742  52.4   141.99   0.55623  -0.00042
2      -1339.898    0.10                   140.66
3(非球面)112.537    9.61   1.80518  25.4   127.92   0.61655  0.01623
4        145.043   11.77                   124.64
5(非球面)170.834    4.20   1.75520  27.5   117.17   0.61020  0.01325
6         62.051    1.80   1.63555  22.7   100.63   0.68947  0.08477 NLF
7(回折)   64.585   29.34   1.43875  94.9   100.55   0.53463  0.04681
8       -703.982   23.39                    98.54
9(絞り)    ∞       5.00                    75.07
10        119.273    5.00   1.80809  22.8    66.05
11        238.775    4.00   1.88300  40.8    64.12
12         54.153   60.00                    56.75
13(非球面) 47.512    2.00   1.88300  40.8    43.07
14         31.163   12.25   1.53172  48.8    40.69
15       -197.723    0.50                    39.52
16         78.592    3.00   1.75520  27.5    37.21
17         27.934    2.49   1.67270  32.1    33.62
18         37.380    4.35                    33.23
19        492.777    2.81   1.84666  23.8    33.06
20       -199.322    1.70   1.77250  49.6    32.78
21         55.620    3.02                    32.00
22     -10222.496    2.50   1.77250  49.6    32.12
23         70.505    1.99                    32.55
24(非球面) 42.265    5.91   1.51742  52.4    35.05   0.55623  -0.00042
25        110.056    6.08                    34.85
26         57.336   12.00   1.65412  39.7    35.35   0.57403  -0.00322
27        -23.153    2.50   1.88300  40.8    35.10   0.56694  -0.00857
28        188.890   13.83                    36.30
29         95.512   11.58   1.74077  27.8    42.05   0.60915   0.01264
30        -36.290    0.10   1.70877  21.6    42.09   0.81721   0.21074 NLR
31        -46.420    2.50   1.88300  40.8    42.07   0.56694  -0.00857
32       -252.061    7.72                    42.63
33          ∞       2.00   1.51633  64.1    42.70
34          ∞                               42.71
【０１５４】
ただし、ここで示すΔθgFの値は以下の定義によるものである。
ΔθgF=θgF-(-1.61783×10-3×νd+0.64146)
非球面データ
第1面
K =-2.94977e-001  A 4=-3.03221e-008  A 6=-4.24408e-012  A 8=-5.18311e-016 
A10= 1.82510e-020 
第3面
K = 4.33371e-002  A 4=-4.01087e-009  A 6= 1.04905e-012  A 8= 1.83181e-016 
A10= 1.73973e-020  A12= 1.20418e-023
第5面
K =-5.41580e-001  A 4=-5.46427e-009  A 6= 6.06667e-012  A 8= 1.48079e-015 
A10=-3.64330e-019  A12= 2.30482e-023
第13面
K = 8.95529e-002  A 4= 1.69207e-007  A 6= 2.37833e-010  A 8=-3.68942e-013 
A10= 7.47702e-016  A12=-3.83431e-019
第24面
K = 2.82995e+000  A 4=-2.44534e-006  A 6=-1.76512e-009  A 8=-1.10606e-011 
A10= 3.67099e-014  A12=-1.05591e-016
第7面(回折面)
C 2=-2.24790e-005  C 4=-8.42035e-010  C 6= 8.71868e-013  C 8=-2.52614e-016
各種データ
ズーム比     1.00
焦点距離     585.02 
Fナンバー      4.12
半画角（度）   2.12 
像高          21.64 
レンズ全長   330.00 
BF            50.00 
入射瞳位置    159.38
射出瞳位置   -133.95
前側主点位置-1116.13
後側主点位置 -535.02
レンズ群データ
群  始面    焦点距離  レンズ構成長  前側主点位置  後側主点位置
L1    1     158.15        81.77         1.99        -55.49
L2    9     158.32        88.25       105.00         70.77
L3   16     -63.72        86.08        -3.61        -83.69
L31  16     -92.45         5.49         5.80          2.44
L32  19     -42.94        10.03         4.80         -2.04
L33  24      80.87        54.50        11.43        -34.77
G    33       ∞           2.00         0.66         -0.66
単レンズデータ
レンズ  始面  焦点距離
1       1    229.27
2       3    550.96
3       5   -131.21
4       6   1950.13
5       7    136.42
6      10    289.50
7      11    -80.13
8      13   -108.80
9      14     51.59
10      16    -58.89
11      17    148.57
12      19    167.93
13      20    -56.13
14      22    -90.63
15      24    128.78
16      26     26.79
17      27    -23.23
18      29     36.88
19      30   -235.58
20      31    -64.81
G      33      0.00
【０１５５】
表１に各実施例における固体材料からなるＮＦＬ光学素子ＮＦＬの材料の光学特性を
示す。表１に示す通り、固体材料からなる光学素子ＮＦＬの材料は、数値実施例１，２，
７，８ではそれぞれＵＶ硬化樹脂１を単体で用いている。また、数値実施例５ではＮ−ポ
リビニルカルバゾールを単体で用いている。ＵＶ硬化樹脂２とＴｉＯ2の光学特性を表２
に示す。ＴｉＯ2微粒子分散材料の屈折率は、前述の（Ａ）式を用いて計算した値を用い
て算出している。
【０１５６】
数値実施例３，４及び６ではＴｉＯ2を合成樹脂に分散させた状態で用いている。数値
実施例３では合成樹脂としてＵＶ硬化樹脂１を用いており、ＴｉＯ2の体積分率は２０％
である。数値実施例４及び６では合成樹脂としてＵＶ硬化樹脂２を用いており、ＴｉＯ2
の体積分率はそれぞれ２０％及び３％である。そして、前述の各条件式と数値実施例にお
ける諸数値との関係を表３に示す。
【０１５７】
以上、本発明の好ましい実施形態について説明したが、本発明はこれらの実施形態に限
定されず、その要旨の範囲内で種々の変形及び変更が可能である。
【０１５８】
【表１】
0005885518.tif 000008
【０１５９】
【表２】
0005885518.tif 000009
【０１６０】
【表３】
0005885518.tif 000010
次に本発明の光学系を撮像装置（カメラシステム）に適用した実施例を図９を用いて説明する。図９は一眼レフカメラの要部概略図である。
【０１６１】
図９において、１０は実施例１〜８のいずれか１つの撮影光学系１を有する撮像レンズである。撮影光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【０１６２】
７は感光面であり、ＣＣＤセンサやＣＭＯＳセンサ等の固体撮像素子（光電変換素子）（撮像部）や銀塩フィルムが配置される。撮影時にはクイックリターンミラー３が光路から退避して、感光面７上に撮影レンズ１０によって像が形成される。このように実施例１〜８の撮影光学系を写真用カメラや、ビデオカメラ、デジタルスチルカメラ等の撮像装置に適用することにより、軽量で高い光学性能を有する撮像装置を実現している。
【０１６３】
尚、本実施例ではクイックリターンミラーのないミラーレスの一眼レフカメラにも同様に適用することができる。
【符号の説明】
【０１６４】
Ｌ０  撮影光学系  Ｌ１  第１レンズ群  Ｌ２  第２レンズ群  Ｌ３  第３レンズ群
Ｌ３１  第３１レンズ群  Ｌ３２  第３２レンズ群  Ｌ３３  第３３レンズ群
ＤＯＥ  回折光学素子  ＮＬＦ  固体材料からなる光学素子  ＮＬＲ  固体材料からなる光学素子
【図１】
0005885518.tif 000012
【図２】
0005885518.tif 000013
【図３】
0005885518.tif 000014
【図４】
0005885518.tif 000015
【図５】
0005885518.tif 000016
【図６】
0005885518.tif 000017
【図７】
0005885518.tif 000018
【図８】
0005885518.tif 000019
【図９】
0005885518.tif 000020
【図１０】
0005885518.tif 000021